(57)【要約】バックライト装置１２は、ＬＥＤ１７と、入光端面１９ｂと出光板面１９ａと、反対板面１９ｃと、を有する導光板１９であって、反対板面１９ｃのうちの少なくとも中央側部分が出光板面１９ａに並行する並行板面２７とされて外周側部分の少なくとも一部が外周端面に近づくに連れて出光板面１９ａに近づくよう出光板面１９ａに対して傾斜状をなす傾斜状板面２８とされる導光板１９と、導光板１９の出光板面１９ａに重なりＬＥＤ１７からの光を波長変換する蛍光体を含有する波長変換シート２０と、導光板１９の反対板面１９ｃに重なり光を反射する反射シート２５であって、並行板面２７に倣って配される並行反射部２９と、傾斜状板面２８に倣って配される傾斜状反射部３０と、を有する反射シート２５と、を備える。
2016148005.tif 000002
【特許請求の範囲】
【請求項１】
光源と、
外周端面の少なくとも一部であって前記光源からの光が入射される入光端面と、一対の板面のいずれかであって光を出射させる出光板面と、前記一対の板面のうち前記出光板面とは反対側の反対板面と、を有する導光板であって、前記反対板面のうちの少なくとも中央側部分が前記出光板面に並行する並行板面とされて外周側部分の少なくとも一部が前記外周端面に近づくに連れて前記出光板面に近づくよう前記出光板面に対して傾斜状をなす傾斜状板面とされる導光板と、
前記導光板の前記出光板面に重なり前記光源からの光を波長変換する蛍光体を含有する波長変換部材と、
前記導光板の前記反対板面に重なり光を反射する反射部材であって、前記並行板面に倣って配される並行反射部と、前記傾斜状板面に倣って配される傾斜状反射部と、を有する反射部材と、を備える照明装置。
【請求項２】
前記導光板は、前記外周端面のうち前記入光端面に隣り合う端面が前記光源からの光が直接入射されることのない非入光側端面とされ、前記反対板面の前記外周側部分のうち少なくとも前記非入光側端面に倣う部分が前記傾斜状板面とされる請求項１記載の照明装置。
【請求項３】
前記導光板は、前記外周端面のうち前記入光端面とは反対側の端面が前記光源からの光が直接入射されることのない非入光反対端面とされ、前記反対板面の前記外周側部分のうち少なくとも前記非入光反対端面に倣う部分が前記傾斜状板面とされる請求項１または請求項２記載の照明装置。
【請求項４】
前記導光板は、前記外周端面のうち前記入光端面を除いた端面が前記光源からの光が直接入射されることのない非入光端面とされ、前記反対板面の前記外周側部分のうち少なくとも前記非入光端面に倣う部分の全域が前記傾斜状板面とされる請求項１から請求項３のいずれか１項に記載の照明装置。
【請求項５】
前記導光板は、前記反対板面の前記外周側部分のうち少なくとも前記入光端面に倣う部分が前記傾斜状板面とされる請求項１から請求項４のいずれか１項に記載の照明装置。
【請求項６】
前記導光板は、前記反対板面の前記外周側部分の全域が前記傾斜状板面とされる請求項１から請求項５のいずれか１項に記載の照明装置。
【請求項７】
前記導光板は、前記傾斜状板面が直線状の傾斜面となるよう構成される請求項１から請求項６のいずれか１項に記載の照明装置。
【請求項８】
前記導光板は、前記傾斜状板面が、前記並行板面と前記外周端面との間の途中位置にて前記出光板面に対する傾斜角度が変化するよう構成される請求項７記載の照明装置。
【請求項９】
前記導光板は、前記傾斜状板面が、前記並行板面側に配されて前記傾斜角度が相対的に大きな並行板面側傾斜状板面と、前記外周端面側に配されて前記傾斜角度が相対的に小さな外周端面側傾斜状板面と、を少なくとも有する構成とされる請求項８記載の照明装置。
【請求項１０】
前記反射部材は、前記傾斜状反射部が前記導光板の前記傾斜状板面に対して接着層を介して接着されている請求項１から請求項９のいずれか１項に記載の照明装置。
【請求項１１】
前記反射部材の前記傾斜状反射部を、前記導光板側とは反対側から支持する支持部材を備える請求項１から請求項１０のいずれか１項に記載の照明装置。
【請求項１２】
光源と、
外周端面の少なくとも一部が前記光源からの光が入射される入光端面とされるとともに、前記外周端面のうち前記入光端面を除いた部分が前記光源からの光が直接入射されることのない非入光端面とされ、さらには板面に光を出射させる出光板面を有する導光板と、
前記光源からの光を波長変換する蛍光体を含有する波長変換部材であって、前記導光板の前記出光板面に重なる形で配される板面側波長変換部と、前記板面側波長変換部に連なるとともに前記導光板の前記非入光端面の少なくとも一部に重なる形で配される端面側波長変換部と、を少なくとも有してなる波長変換部材と、を備える照明装置。
【請求項１３】
前記導光板は、前記外周端面のうち前記入光端面とは反対側の端面が、前記非入光端面である非入光反対端面とされており、
前記波長変換部材は、前記端面側波長変換部が、少なくとも前記非入光反対端面に重なる形で配されている請求項１２記載の照明装置。
【請求項１４】
前記導光板は、前記外周端面のうち前記入光端面と隣り合う端面が、前記非入光端面である非入光側端面とされており、
前記波長変換部材は、前記端面側波長変換部が、少なくとも前記非入光側端面に重なる形で配されている請求項１２または請求項１３記載の照明装置。
【請求項１５】
前記波長変換部材は、前記端面側波長変換部が前記導光板における前記非入光端面の全域と重なる形で配されている請求項１２から請求項１４のいずれか１項に記載の照明装置。
【請求項１６】
前記導光板を前記出光板面側とは反対側から支持する底部を有するシャーシを備えており、
前記波長変換部材は、前記端面側波長変換部が、前記非入光端面と重なる非入光端面重なり部と、前記導光板のうち前記出光板面とは反対側の反対板面における外縁部と重なる形で配されて前記シャーシの前記底部との間で挟み込まれる反対板面重なり部と、を有する構成とされる請求項１２から請求項１５のいずれか１項に記載の照明装置。
【請求項１７】
前記波長変換部材は、前記反対板面重なり部が、前記非入光端面重なり部に比べると、前記蛍光体の分布密度が低いものとされる請求項１６記載の照明装置。
【請求項１８】
前記波長変換部材は、前記非入光端面重なり部が、前記蛍光体が配置される蛍光体配置領域とされるのに対し、前記反対板面重なり部が、前記蛍光体が非配置とされる蛍光体非配置領域とされる請求項１７記載の照明装置。
【請求項１９】
前記波長変換部材は、前記反対板面重なり部に前記蛍光体を封止する封止部が設けられている請求項１７または請求項１８記載の照明装置。
【請求項２０】
前記端面側波長変換部と前記導光板の前記非入光端面との間に介在する形で配される接着層を備えている請求項１２から請求項１９のいずれか１項に記載の照明装置。
【請求項２１】
前記導光板の前記出光板面とは反対側の反対板面と対向する形で配されるとともに光を反射する反射部材を備える請求項１２から請求項２０のいずれか１項に記載の照明装置。
【請求項２２】
前記光源は、青色の光を発するものとされており、
前記波長変換部材は、前記蛍光体として、前記青色の光を緑色の光に波長変換する緑色蛍光体及び前記青色の光を赤色の光に波長変換する赤色蛍光体と、前記青色の光を黄色の光に波長変換する黄色蛍光体と、の少なくともいずれか一方を含有している請求項１２から請求項２１のいずれか１項に記載の照明装置。
【請求項２３】
前記波長変換部材は、前記蛍光体として量子ドット蛍光体を含有する請求項１から請求項２２のいずれか１項に記載の照明装置。
【請求項２４】
請求項１から請求項２３のいずれか１項に記載の照明装置と、前記照明装置から照射される光を利用して画像を表示する表示パネルと、を備える表示装置。
【請求項２５】
請求項２４記載の表示装置を備えるテレビ受信装置。
【発明の詳細な説明】
【技術分野】
【０００１】
本発明は、照明装置、表示装置、及びテレビ受信装置に関する。
【背景技術】
【０００２】
従来の液晶表示装置の一例として下記特許文献１に記載されたものが知られている。この特許文献１に記載された液晶表示装置は、液晶パネルと、液晶パネルに光を照射するディスプレイバックライトユニットと、を備える。ディスプレイバックライトユニットは、一次光源と、一次光源によって放出される一次光を導光する導光板と、導光板によって導光された一次光によって励起されて二次光を放出するＱＤ蛍光体材料を含むリモート蛍光体フィルムと、を備える。
【先行技術文献】
【特許文献】
【０００３】
【特許文献１】特表２０１３−５４４０１８号公報
【０００４】
（発明が解決しようとする課題）
上記した特許文献１に記載されたようなリモート蛍光体フィルムを、いわゆるエッジライト型のバックライト装置に用いることを検討した場合、次のような問題が生じることが懸念される。すなわち、エッジライト型バックライトは、光源と、光源からの光を導光する導光板と、を備えており、このうちの導光板は、光源からの光が直接入射される入光端面と、光源からの光が直接入射されない非入光端面と、光を出射させる出光板面と、を有している。【０００５】
導光板の出光板面から出射した光は、その全てがリモート蛍光体フィルムにより波長変換されてそのままディスプレイバックライトユニットの出射光として利用されるとは限らず、再帰反射されて導光板側に戻された後にディスプレイバックライトユニットの出射光として利用される場合もある。この再帰反射光は、ディスプレイバックライトユニットにおける中央側よりも外周側の方が再帰反射回数が少なくなりがちとされるため、リモート蛍光体フィルムを通過する回数が少なくなり、波長変換される確率が低いものとされる。このため、エッジライト型バックライト装置における外周側部分と中央側部分とでは出射光の色味に差が生じやすいものとなっていた。【０００６】
また、導光板内を伝播する光は、その全てが出光板面から出射するとは限らず、非入光端面からも出射され得るものとされる。非入光端面から出射した光は、リモート蛍光体フィルムによって波長変換され難いため、光源の光が波長変換されることなく出射してしまい、結果としてエッジライト型バックライト装置における外周側と中央側とでは出射光の色味に差が生じやすいものとなっていた。
【発明の概要】
【０００７】
本発明は上記のような事情に基づいて完成されたものであって、色ムラの発生を抑制することを目的とする。
【０００８】
（課題を解決するための手段）
上記課題を解決するために、本明細書に開示される照明装置は、光源と、外周端面の少なくとも一部であって前記光源からの光が入射される入光端面と、一対の板面のいずれかであって光を出射させる出光板面と、前記一対の板面のうち前記出光板面とは反対側の反対板面と、を有する導光板であって、前記反対板面のうちの少なくとも中央側部分が前記出光板面に並行する並行板面とされて外周側部分の少なくとも一部が前記外周端面に近づくに連れて前記出光板面に近づくよう前記出光板面に対して傾斜状をなす傾斜状板面とされる導光板と、前記導光板の前記出光板面に重なり前記光源からの光を波長変換する蛍光体を含有する波長変換部材と、前記導光板の前記反対板面に重なり光を反射する反射部材であって、前記並行板面に倣って配される並行反射部と、前記傾斜状板面に倣って配される傾斜状反射部と、を有する反射部材と、を備える。
【０００９】
このようにすれば、光源から発せられた光は、導光板の外周端面のうちの入光端面に入射されて反射部材にて反射されるなどして導光板内を伝播された後に出光板面から出射される。出光板面から出射された光は、出光板面に重ねられる波長変換部材に含有される蛍光体によって波長変換される。ここで、導光板の出光板面から出射した光は、その全てが波長変換部材により波長変換されてそのまま当該照明装置の出射光として利用されるとは限らず、再帰反射されて導光板側に戻されるなどした後に当該照明装置の出射光として利用される場合もある。この再帰反射光は、当該照明装置における中央側よりも外周側の方が再帰反射回数が少なくなりがちとされるため、波長変換部材を通過する回数が少なくなり、波長変換される確率が低いものとされる。また、導光板内を伝播する光は、その全てが出光板面から出射するとは限らず、一部については導光板の外周端面から出射し得るものとされる。
【００１０】
その点、導光板は、反対板面のうちの少なくとも中央側部分が出光板面に並行する並行板面とされ、外周側部分の少なくとも一部が外周端面に近づくに連れて出光板面に近づくよう出光板面に対して傾斜状をなす傾斜状板面とされているから、導光板内の外周側部分に存在する光が反対板面から出光板面に至るまでの光路長が、中央側部分に存在する光が反対板面から出光板面に至るまでの光路長よりも短いものとなる。そして、反射部材は、並行板面に倣って配される並行反射部と、傾斜状板面に倣って配される傾斜状反射部と、を有しているから、導光板内の外周側部分の少なくとも一部に存在する光のうち、上記光路長が相対的に短い光が傾斜状反射部により反射されることで、導光板の外周側部分の少なくとも一部を透過した再帰反射光の再帰反射回数、つまり波長変換部材の通過回数を多くすることができる。これにより、導光板の外周側部分の少なくとも一部を透過した再帰反射光が波長変換部材によって十分に波長変換される。以上により、当該照明装置の出射光に色ムラが生じ難いものとされる。
【００１１】
上記照明装置の実施態様として、次の構成が好ましい。
（１）前記導光板は、前記外周端面のうち前記入光端面に隣り合う端面が前記光源からの光が直接入射されることのない非入光側端面とされ、前記反対板面の前記外周側部分のうち少なくとも前記非入光側端面に倣う部分が前記傾斜状板面とされる。光源から発せられて導光板の入光端面に入射してから導光板内を伝播する光は、導光板の外周端面のうち特に入光端面に隣り合う非入光側端面から出射し易く、それに起因して当該照明装置の外周側における出射光と中央側における出射光とに色味の差が生じ易くなっていた。その点、導光板は、反対板面の外周側部分のうち少なくとも非入光側端面に倣う部分が傾斜状板面とされているので、導光板の外周側部分のうち非入光側端面付近を透過した再帰反射光の再帰反射回数、つまり波長変換部材の通過回数を多くすることができる。これにより、当該照明装置の外周側における出射光と中央側における出射光とに色味の差が生じ難くなり、色ムラの発生をより好適に抑制することができる。
【００１２】
（２）前記導光板は、前記外周端面のうち前記入光端面とは反対側の端面が前記光源からの光が直接入射されることのない非入光反対端面とされ、前記反対板面の前記外周側部分のうち少なくとも前記非入光反対端面に倣う部分が前記傾斜状板面とされる。光源から発せられて導光板の入光端面に入射してから導光板内を伝播する光は、導光板の外周端面のうち入光端面とは反対側の非入光反対端面から出射し易く、それに起因して当該照明装置の外周側における出射光と中央側における出射光とに色味の差が生じ易くなっていた。その点、導光板は、反対板面の外周側部分のうち少なくとも非入光反対端面に倣う部分が傾斜状板面とされているので、導光板の外周側部分のうち非入光反対端面付近を透過した再帰反射光の再帰反射回数、つまり波長変換部材の通過回数を多くすることができる。これにより、当該照明装置の外周側における出射光と中央側における出射光とに色味の差が生じ難くなり、色ムラの発生を好適に抑制することができる。
【００１３】
（３）前記導光板は、前記外周端面のうち前記入光端面を除いた端面が前記光源からの光が直接入射されることのない非入光端面とされ、前記反対板面の前記外周側部分のうち少なくとも前記非入光端面に倣う部分の全域が前記傾斜状板面とされる。光源から発せられて導光板の入光端面に入射してから導光板内を伝播する光は、導光板の外周端面のうち入光端面を除いた非入光端面から出射し易く、それに起因して当該照明装置の外周側における出射光と中央側における出射光とに色味の差が生じ易くなっていた。その点、導光板は、反対板面の外周側部分のうち少なくとも非入光端面に倣う部分の全域が傾斜状板面とされているので、導光板の外周側部分のうち非入光端面付近を透過した再帰反射光の再帰反射回数、つまり波長変換部材の通過回数を多くすることができる。これにより、当該照明装置の外周側における出射光と中央側における出射光とに色味の差が生じ難くなり、色ムラの発生をより好適に抑制することができる。
【００１４】
（４）前記導光板は、前記反対板面の前記外周側部分のうち少なくとも前記入光端面に倣う部分が前記傾斜状板面とされる。光源から発せられて導光板の入光端面に入射してから導光板内を伝播する光は、導光板の外周端面のうち入光端面から出射し易く、それに起因して当該照明装置の外周側における出射光と中央側における出射光とに色味の差が生じ易くなっていた。その点、導光板は、反対板面の外周側部分のうち少なくとも入光端面に倣う部分が傾斜状板面とされているので、導光板の外周側部分のうち入光端面付近を透過した再帰反射光の再帰反射回数、つまり波長変換部材の通過回数を多くすることができる。これにより、当該照明装置の外周側における出射光と中央側における出射光とに色味の差が生じ難くなり、色ムラの発生をより好適に抑制することができる。
【００１５】
（５）前記導光板は、前記反対板面の前記外周側部分の全域が前記傾斜状板面とされる。光源から発せられて導光板の入光端面に入射してから導光板内を伝播する光は、導光板の外周端面から出射し易く、それに起因して当該照明装置の外周側における出射光と中央側における出射光とに色味の差が生じ易くなっていた。その点、導光板は、反対板面の外周側部分の全域が傾斜状板面とされているので、導光板の外周側部分を透過した再帰反射光の再帰反射回数、つまり波長変換部材の通過回数を多くすることができる。これにより、当該照明装置の外周側における出射光と中央側における出射光とに色味の差が生じ難くなり、色ムラの発生をより好適に抑制することができる。
【００１６】
（６）前記導光板は、前記傾斜状板面が直線状の傾斜面となるよう構成される。このようにすれば、導光板の反対板面に傾斜状板面をより高い寸法精度でもって設けることができる。
【００１７】
（７）前記導光板は、前記傾斜状板面が、前記並行板面と前記外周端面との間の途中位置にて前記出光板面に対する傾斜角度が変化するよう構成される。このようにすれば、導光板の外周側部分のうち反対板面に傾斜状板面が設けられた部分での光路長、つまり光の再帰反射回数を、傾斜状板面の面内において容易に制御することができ、もって色ムラの抑制を図る上でより好適とされる。
【００１８】
（８）前記導光板は、前記傾斜状板面が、前記並行板面側に配されて前記傾斜角度が相対的に大きな並行板面側傾斜状板面と、前記外周端面側に配されて前記傾斜角度が相対的に小さな外周端面側傾斜状板面と、を少なくとも有する構成とされる。このようにすれば、仮に並行板面側傾斜状板面と外周端面側傾斜状板面とにおける傾斜角度の大小関係を上記とは逆にした場合に比べると、並行板面側傾斜状板面における傾斜角度が相対的に大きくされることで、外周端面側傾斜状板面における並行板面側傾斜状板面側の端位置での光路長が相対的に短いものとなる。これにより、導光板の外周側部分のうち外周端面側傾斜状板面が設けられた部分での光の再帰反射回数をより多くすることができ、もって色ムラの抑制を図る上でより一層好適とされる。
【００１９】
（９）前記反射部材は、前記傾斜状反射部が前記導光板の前記傾斜状板面に対して接着層を介して接着されている。このようにすれば、接着層によって傾斜状反射部が導光板の傾斜状板面に対して安定した位置関係に保たれるので、導光板の反対板面からの光を傾斜状反射部により高い効率でもって反射することができる。
【００２０】
（１０）前記反射部材の前記傾斜状反射部を、前記導光板側とは反対側から支持する支持部材を備える。このようにすれば、支持部材によって傾斜状反射部が導光板の傾斜状板面に対して安定した位置関係に保たれるので、導光板の反対板面からの光を傾斜状反射部により高い効率でもって反射することができる。
【００２１】
（１１）前記波長変換部材は、前記蛍光体として量子ドット蛍光体を含有する。このようにすれば、波長変換部材による光の波長変換効率がより高いものとなるとともに、波長変換された光の色純度が高いものとなる。
【００２２】
また、上記課題を解決するために、本明細書に開示される照明装置は、その第２の態様として、光源と、外周端面の少なくとも一部が前記光源からの光が入射される入光端面とされるとともに、前記外周端面のうち前記入光端面を除いた部分が前記光源からの光が直接入射されることのない非入光端面とされ、さらには板面に光を出射させる出光板面を有する導光板と、前記光源からの光を波長変換する蛍光体を含有する波長変換部材であって、前記導光板の前記出光板面に重なる形で配される板面側波長変換部と、前記板面側波長変換部に連なるとともに前記導光板の前記非入光端面の少なくとも一部に重なる形で配される端面側波長変換部と、を少なくとも有してなる波長変換部材と、を備える。
【００２３】
このようにすれば、光源から発せられた光は、導光板の外周端面のうちの入光端面に入射されて導光板内を伝播された後に出光板面から出射される。出光板面から出射された光は、出光板面に重ねられる波長変換部材の板面側波長変換部に含有される蛍光体によって波長変換される。ここで、導光板内を伝播する光は、その全てが出光板面から出射するとは限らず、一部については導光板の外周端面のうち非入光端面から出射し得るものとされる。また、導光板内を伝播する光には、一旦出光板面から出射した後に再び導光板内に戻される再帰反射光が含まれているが、この再帰反射光は、導光板の中央側よりも外周側の方が反射回数が少なくなりがちとされるため、導光板の外周側（非入光端面を含む）から出射する再帰反射光は、導光板の中央側から出射する再帰反射光に比べて光源の光の色味に近い色味となっている。
【００２４】
その点、波長変換部材は、導光板の非入光端面の少なくとも一部に重なる形で配される端面側波長変換部を有しているから、導光板の非入光端面から出射する光（再帰反射光を含む）を端面側波長変換部に含有される蛍光体によって波長変換することができる。これにより、当該照明装置における中央側と外周側とで出射光の色味に差が生じ難くなるので、色ムラの発生が抑制される。しかも、端面側波長変換部が板面側波長変換部に連なる構成とされているので、波長変換部材に係る製造コストが低廉化されるとともに含有される蛍光体が劣化し難いものとなる。
【００２５】
上記照明装置（第２の態様の照明装置）の実施態様として、次の構成が好ましい。
（１）前記導光板は、前記外周端面のうち前記入光端面とは反対側の端面が、前記非入光端面である非入光反対端面とされており、前記波長変換部材は、前記端面側波長変換部が、少なくとも前記非入光反対端面に重なる形で配されている。光源から発せられて導光板の入光端面に入射した光は、入光端面とは反対側の非入光反対端面からそのまま出射し易いものの、その非入光反対端面に重なる形で端面側波長変換部を配することで、非入光反対端面から光が出射してもその光を端面側波長変換部により波長変換することで、色ムラの発生が効果的に抑制される。
【００２６】
（２）前記導光板は、前記外周端面のうち前記入光端面と隣り合う端面が、前記非入光端面である非入光側端面とされており、前記波長変換部材は、前記端面側波長変換部が、少なくとも前記非入光側端面に重なる形で配されている。光源から発せられて導光板の入光端面に入射した光は、入光端面と隣り合う非入光側端面からそのまま出射し易いものの、その非入光側端面に重なる形で端面側波長変換部を配することで、非入光側端面から光が出射してもその光を端面側波長変換部により波長変換することで、色ムラの発生が効果的に抑制される。
【００２７】
（３）前記波長変換部材は、前記端面側波長変換部が前記導光板における前記非入光端面の全域と重なる形で配されている。このようにすれば、非入光端面から出射する光を、非入光端面の全域と重なる形で配される端面側波長変換部により効率的に波長変換することができるので、色ムラの発生がより効果的に抑制される。
【００２８】
（４）前記導光板を前記出光板面側とは反対側から支持する底部を有するシャーシを備えており、前記波長変換部材は、前記端面側波長変換部が、前記非入光端面と重なる非入光端面重なり部と、前記導光板のうち前記出光板面とは反対側の反対板面における外縁部と重なる形で配されて前記シャーシの前記底部との間で挟み込まれる反対板面重なり部と、を有する構成とされる。このように、反対板面重なり部が導光板の反対板面における外縁部と重なる形で配されてシャーシの底部との間で挟み込まれることで、端面側波長変換部の保持が図られるから、非入光端面と重なる非入光端面重なり部が非入光端面に対して安定した位置関係に保たれる。これにより、非入光端面から光が出射した場合にその光を非入光端面重なり部によって高い効率でもって波長変換することができる。
【００２９】
（５）前記波長変換部材は、前記反対板面重なり部が、前記非入光端面重なり部に比べると、前記蛍光体の分布密度が低いものとされる。このようにすれば、仮に蛍光体の分布密度を反対板面重なり部と非入光端面重なり部とで同じにした場合に比べると、導光板内を伝播する光が導光板の反対板面における外縁部に達したとき、その光が反対板面重なり部によって過剰に波長変換され難いものとなる。これにより、当該照明装置の外周側からの出射光が過剰に波長変換され難くなる。
【００３０】
（６）前記波長変換部材は、前記非入光端面重なり部が、前記蛍光体が配置される蛍光体配置領域とされるのに対し、前記反対板面重なり部が、前記蛍光体が非配置とされる蛍光体非配置領域とされる。このようにすれば、導光板内を伝播して導光板の非入光端面に達した光は、蛍光体配置領域である非入光端面重なり部に配置される蛍光体により波長変換されるのに対し、導光板の反対板面における外縁部に達した光は、蛍光体非配置領域である反対板面重なり部にて波長変換されることが避けられる。これにより、当該照明装置の外周側からの出射光が過剰に波長変換されたものとなる事態がより好適に抑制される。
【００３１】
（７）前記波長変換部材は、前記反対板面重なり部に前記蛍光体を封止する封止部が設けられている。このようにすれば、封止部によって蛍光体が封止されるので、反対板面重なり部に含まれる蛍光体が吸湿などにより劣化し難いものとなる。
【００３２】
（８）前記端面側波長変換部と前記導光板の前記非入光端面との間に介在する形で配される接着層を備えている。このようにすれば、接着層によって端面側波長変換部が導光板の非入光端面に対して安定した位置関係に保たれるので、導光板の非入光端面から光が出射したとき、その光を端面側波長変換部により高い効率でもって波長変換することができる。また、端面側波長変換部と接着層との界面や非入光端面と接着層との界面にて多重反射が生じ易くなるので、端面側波長変換部による光の波長変換効率がより高いものとなる。
【００３３】
（９）前記導光板の前記出光板面とは反対側の反対板面と対向する形で配されるとともに光を反射する反射部材を備える。このようにすれば、導光板内を伝播する過程で出光板面側から反対板面側へ向かう光を反射部材によって出光板面側へと反射し、光の伝播を高効率化することができる。
【００３４】
（１０）前記光源は、青色の光を発するものとされており、前記波長変換部材は、前記蛍光体として、前記青色の光を緑色の光に波長変換する緑色蛍光体及び前記青色の光を赤色の光に波長変換する赤色蛍光体と、前記青色の光を黄色の光に波長変換する黄色蛍光体と、の少なくともいずれか一方を含有している。このようにすれば、光源から発せられた青色の光は、波長変換部材に緑色蛍光体及び赤色蛍光体が含有される場合は緑色の光及び赤色の光に、黄色蛍光体が含有される場合は黄色の光に、波長変換される。ここで、導光板の非入光端面から出射する光は、光源の青色の光となっているため、その光が仮にそのまま当該照明装置の出射光に含まれると、その出射光が外周側では中央側よりも青色味を帯びるおそれがある。その点、導光板の非入光端面から出射する光は、端面側波長変換部によって波長変換されるようになっているので、当該照明装置の外周側からの出射光における青色の光の比率を低下させることができ、もって色ムラを好適に抑制することができる。
【００３５】
（１１）前記波長変換部材は、前記蛍光体として量子ドット蛍光体を含有している。このようにすれば、波長変換部材による光の波長変換効率がより高いものとなるとともに、波長変換された光の色純度が高いものとなる。
【００３６】
次に、上記課題を解決するために、本発明の表示装置は、上記記載の照明装置と、前記照明装置から照射される光を利用して画像を表示する表示パネルと、を備える表示装置。このような構成の表示装置によれば、照明装置の出射光が色ムラの発生が抑制されたものとなっているから、表示品位に優れた表示を実現することができる。
【００３７】
さらには、上記課題を解決するために、本発明のテレビ受信装置は、上記記載の表示装置を備えるテレビ受信装置。このようなテレビ受信装置によれば、表示装置の表示品位が優れたものとされているから、表示品位に優れたテレビ画像の表示を実現することができる。
【００３８】
（発明の効果）
本発明によれば、色ムラの発生を抑制することができる。
【図面の簡単な説明】
【００３９】
【図１】本発明の実施形態１に係るテレビ受信装置の概略構成を示す分解斜視図
【図２】テレビ受信装置が備える液晶表示装置の概略構成を示す分解斜視図
【図３】液晶表示装置が備えるバックライト装置の平面図
【図４】図３のiv-iv線断面図
【図５】図３のv-v線断面図
【図６】波長変換シートの断面図
【図７】導光板の底面図
【図８】反射シートの平面図
【図９】本発明の実施形態２に係る液晶表示装置の端部を拡大した断面図
【図１０】本発明の実施形態３に係る液晶表示装置の断面図
【図１１】導光板の底面図
【図１２】反射シートの平面図
【図１３】本発明の実施形態４に係る液晶表示装置の端部を拡大した断面図
【図１４】本発明の実施形態５に係る液晶表示装置の端部を拡大した断面図
【図１５】本発明の実施形態６に係る液晶表示装置の端部を拡大した断面図
【図１６】本発明の実施形態７に係る液晶表示装置の端部を拡大した断面図
【図１７】本発明の実施形態８に係る導光板の底面図
【図１８】本発明の実施形態９に係る導光板の底面図
【図１９】本発明の実施形態１０に係る導光板の底面図
【図２０】本発明の実施形態１１に係る導光板の底面図
【図２１】本発明の実施形態１２に係る導光板の底面図
【図２２】本発明の実施形態１３に係る導光板の底面図
【図２３】本発明の実施形態１４に係る導光板の底面図
【図２４】本発明の実施形態１５に係るテレビ受信装置の概略構成を示す分解斜視図
【図２５】テレビ受信装置が備える液晶表示装置の概略構成を示す分解斜視図
【図２６】液晶表示装置が備えるバックライト装置の平面図
【図２７】図２６のxxvii-xxvii線断面図
【図２８】図２６のxxviii-xxviii線断面図
【図２９】波長変換シートの断面図
【図３０】展開状態とされた波長変換シートの平面図
【図３１】本発明の実施形態１６に係る液晶表示装置の端部における断面図
【図３２】本発明の実施形態１７に係る液晶表示装置の端部における断面図
【図３３】液晶表示装置の端部における拡大断面図
【図３４】本発明の実施形態１８に係る液晶表示装置の端部における断面図
【図３５】本発明の実施形態１９に係る液晶表示装置の端部における断面図
【図３６】本発明の実施形態２０に係る液晶表示装置の端部における断面図
【図３７】本発明の実施形態２１に係る展開状態とされた波長変換シートの平面図
【図３８】本発明の実施形態２２に係る展開状態とされた波長変換シートの平面図
【発明を実施するための形態】
【００４０】
＜実施形態１＞
本発明の実施形態１を図１から図８によって説明する。本実施形態では、バックライト装置１２及びそれを用いた液晶表示装置１０について例示する。なお、各図面の一部にはＸ軸、Ｙ軸及びＺ軸を示しており、各軸方向が各図面で示した方向となるように描かれている。また、図４及び図５などに示す上側を表側とし、同図下側を裏側とする。
【００４１】
本実施形態に係るテレビ受信装置１０ＴＶは、図１に示すように、液晶表示装置１０と、当該液晶表示装置１０を挟むようにして収容する表裏両キャビネット１０Ｃａ，１０Ｃｂと、電源１０Ｐと、テレビ信号を受信するチューナー（受信部）１０Ｔと、スタンド１０Ｓと、を備えて構成される。液晶表示装置（表示装置）１０は、全体として横長（長手）の方形状（矩形状）をなし、縦置き状態で収容されている。この液晶表示装置１０は、図２に示すように、画像を表示する表示パネルである液晶パネル１１と、液晶パネル１１に表示のための光を供給する外部光源であるバックライト装置（照明装置）１２と、を備え、これらが枠状のベゼル１３などにより一体的に保持されるようになっている。
【００４２】
次に、液晶表示装置１０を構成する液晶パネル１１及びバックライト装置１２について順次に説明する。このうち、液晶パネル（表示パネル）１１は、平面に視て横長な方形状をなしており、一対のガラス基板が所定のギャップを隔てた状態で貼り合わせられるとともに、両ガラス基板間に電界印加に伴って光学特性が変化する物質である液晶分子を含む液晶層（図示せず）が封入された構成とされる。一方のガラス基板（アレイ基板、アクティブマトリクス基板）の内面側には、互いに直交するソース配線とゲート配線とに接続されたスイッチング素子（例えばＴＦＴ）と、ソース配線とゲート配線とに囲まれた方形状の領域に配されてスイッチング素子に接続される画素電極と、がマトリクス状に平面配置される他、配向膜等が設けられている。他方のガラス基板（対向基板、ＣＦ基板）の内面側には、Ｒ（赤色），Ｇ（緑色），Ｂ（青色）等の各着色部が所定配列でマトリクス状に平面配置されたカラーフィルタが設けられる他、各着色部間に配されて格子状をなす遮光層（ブラックマトリクス）、画素電極と対向状をなすベタ状の対向電極、配向膜等が設けられている。なお、両ガラス基板の外面側には、それぞれ偏光板が配されている。また、液晶パネル１１における長辺方向がＸ軸方向と一致し、短辺方向がＹ軸方向と一致し、さらに厚さ方向がＺ軸方向と一致している。
【００４３】
バックライト装置１２は、図２に示すように、表側（液晶パネル１１側）に向けて開口する光出射部１４ｂを有した略箱型をなすシャーシ１４と、シャーシ１４の光出射部１４ｂを覆う形で配される光学部材（光学シート）１５と、を備える。さらに、シャーシ１４内には、光源であるＬＥＤ１７と、ＬＥＤ１７が実装されたＬＥＤ基板１８と、ＬＥＤ１７からの光を導光して光学部材１５（液晶パネル１１）へと導く導光板１９と、導光板１９などを表側から押さえるフレーム１６と、が備えられる。そして、このバックライト装置１２は、その長辺側の一対の端部のうちの一方（図２及び図３に示す手前側、図４に示す左側）の端部に、ＬＥＤ基板１８が配されており、そのＬＥＤ基板１８に実装された各ＬＥＤ１７が液晶パネル１１における長辺側の一端部寄りに偏在していることになる。このように、本実施形態に係るバックライト装置１２は、ＬＥＤ１７の光が導光板１９に対して片側からのみ入光される片側入光タイプのエッジライト型（サイドライト型）とされている。続いて、バックライト装置１２の各構成部品について詳しく説明する。
【００４４】
シャーシ１４は、金属製とされ、図２及び図３に示すように、液晶パネル１１と同様に横長の方形状をなす底部１４ａと、底部１４ａの各辺の外端からそれぞれ立ち上がる側部１４ｃと、からなり、全体としては表側に向けて開口した浅い略箱型をなしている。シャーシ１４（底部１４ａ）は、その長辺方向がＸ軸方向（水平方向）と一致し、短辺方向がＹ軸方向（鉛直方向）と一致している。また、側部１４ｃには、フレーム１６及びベゼル１３が固定可能とされる。
【００４５】
光学部材１５は、図２に示すように、液晶パネル１１及びシャーシ１４と同様に平面に視て横長の方形状をなしている。光学部材１５は、シャーシ１４の光出射部１４ｂを覆うとともに、液晶パネル１１と導光板１９との間に介在する形で配されている。光学部材１５は、シート状をなしていて合計で４枚が備えられている。具体的には、光学部材１５は、ＬＥＤ１７から発せられた光（一次光）を他の波長の光（二次光）へと波長変換する波長変換シート（波長変換部材）２０と、光に等方性集光作用を付与するマイクロレンズシート２１と、光に異方性集光作用を付与するプリズムシート２２と、光を偏光反射する反射型偏光シート２３と、から構成される。光学部材１５は、図４及び図５に示すように、裏側から波長変換シート２０、マイクロレンズシート２１、プリズムシート２２、及び反射型偏光シート２３の順で相互に積層されてそれらの外縁部がフレーム１６に対してその表側に載せられている。つまり、光学部材１５を構成する波長変換シート２０、マイクロレンズシート２１、プリズムシート２２、及び反射型偏光シート２３は、導光板１９に対して表側、つまり光出射側にフレーム１６（詳しくは後述する枠状部１６ａ）分の間隔を空けて対向状をなしている。なお、波長変換シート２０の具体的な構成に関しては、後に改めて詳しく説明する。
【００４６】
マイクロレンズシート２１は、基材と、基材における表側の板面に設けられるマイクロレンズ部と、を有しており、このうちのマイクロレンズ部が、Ｘ軸方向及びＹ軸方向に沿って多数ずつマトリクス状（行列状）に並ぶ形で平面配置される単位マイクロレンズから構成されている。単位マイクロレンズは、平面に視て略円形をなすとともに全体として略半球状をなす凸レンズとされる。このような構成により、マイクロレンズシート２１は、光に対し、Ｘ軸方向及びＹ軸方向について等方的に集光作用（異方性集光作用）を付与するものとされる。プリズムシート２２は、基材と、基材における表側の板面に設けられるプリズム部と、を有しており、このうちのプリズム部が、Ｘ軸方向に沿って延在するとともにＹ軸方向に沿って多数並んで配される単位プリズムから構成されている。単位プリズムは、平面に視てＸ軸方向に並行するレール状（線状）をなすとともにＹ軸方向に沿った断面形状が略二等辺三角形状とされる。このような構成により、プリズムシート２２は、光に対し、Ｙ軸方向（単位プリズムの並び方向、単位プリズムの延在方向と直交する方向）について選択的に集光作用（異方性集光作用）を付与するものとされる。反射型偏光シート２３は、光を偏光反射する反射型偏光フィルムと、反射型偏光フィルムを表裏から挟み込む一対の拡散フィルムと、から構成される。反射型偏光フィルムは、例えば屈折率の互いに異なる層を交互に積層した多層構造を有しており、光に含まれるｐ波を透過させ、ｓ波を裏側へ反射させる構成となっている。反射型偏光フィルムによって反射されたｓ波は、後述する反射シート２５などによって、再度表側に反射され、その際に、ｓ波とｐ波に分離する。このように、反射型偏光シート２３は、反射型偏光フィルムを備えることで、本来ならば、液晶パネル１１の偏光板によって吸収されるｓ波を、裏側（反射シート２５側）へ反射させることで再利用することができ、光の利用効率（ひいては輝度）を高めることができる。一対の拡散フィルムは、ポリカーボネートなどの合成樹脂材料からなり、反射型偏光フィルム側とは反対側の板面にエンボス加工が施されることで、光に拡散作用を付与するものとされる。
【００４７】
フレーム１６は、図２に示すように、導光板１９及び光学部材１５の外周縁部に沿って延在する横長の枠状部（額縁状部）１６ａを有しており、その枠状部１６ａにより導光板１９の外周縁部をほぼ全周にわたって表側から押さえるものとされる。この枠状部１６ａのうち一方の長辺部における裏側の面、つまり導光板１９及びＬＥＤ基板１８（ＬＥＤ１７）との対向面には、図４に示すように、光を反射するフレーム側反射シート２４が取り付けられている。フレーム側反射シート２４は、表面が光の反射性に優れた白色を呈するとともに、枠状部１６ａの一方の長辺部におけるほぼ全長にわたって延在する大きさを有しており、導光板１９におけるＬＥＤ１７側の端部に直接当接されて導光板１９の上記端部とＬＥＤ基板１８とを一括して表側から覆うものとされる。フレーム１６の枠状部１６ａは、光学部材１５（波長変換シート２０）と導光板１９との間に介在するとともに、光学部材１５の外周縁部を裏側から支持するものとされ、それにより光学部材１５が導光板１９との間に枠状部１６ａ分の間隔を空けた位置に保たれる。また、フレーム１６の枠状部１６ａのうち、フレーム側反射シート２４が設置された一長辺部を除く３つの辺部における裏側（導光板１９側）の面には、例えばポロン（登録商標）などからなる緩衝材２６が設けられている。さらには、フレーム１６は、枠状部１６ａから表側に向けて突出するとともに、液晶パネル１１における外周縁部を裏側から支持する液晶パネル支持部１６ｂを有している。
【００４８】
次に、ＬＥＤ１７及びＬＥＤ１７が実装されるＬＥＤ基板１８について説明する。ＬＥＤ１７は、図３及び図４に示すように、ＬＥＤ基板１８上に表面実装されるとともにその発光面１７ａがＬＥＤ基板１８側とは反対側を向いた、いわゆる頂面発光型とされている。詳しくは、ＬＥＤ１７は、発光源である青色ＬＥＤ素子（青色発光素子、青色ＬＥＤチップ）を、封止材によってケース内に封止してなるものとされる。つまり、このＬＥＤ１７は、青色の単色光を発する青色ＬＥＤとされている。そして、ＬＥＤ１７から発せられた青色の光は、その一部が詳しくは後述する波長変換シート２０によって緑色の光や赤色の光に波長変換されるようになっており、これら波長変換された緑色の光及び赤色の光（二次光）と、ＬＥＤ１７の青色の光（一次光）と、の加法混色によりバックライト装置１２の出射光が概ね白色を呈するものとされる。ＬＥＤ１７に備わる青色ＬＥＤ素子は、例えばＩｎＧａＮなどの半導体材料からなる半導体であり、順方向に電圧が印加されることで青色の波長領域（約４２０ｎｍ〜約５００ｎｍ）に含まれる波長の青色の単色光を発光するものとされる。つまり、ＬＥＤ１７の発光光は、この青色ＬＥＤ素子の発光光と同色の単色光とされる。この青色ＬＥＤ素子は、図示しないリードフレームによってケース外に配されたＬＥＤ基板１８における配線パターンに接続される。
【００４９】
ＬＥＤ基板１８は、図３及び図４に示すように、シャーシ１４の長辺方向（Ｘ軸方向、導光板１９における入光端面１９ｂの長手方向）に沿って延在する細長い板状をなすとともに、その板面をＸ軸方向及びＺ軸方向に並行した姿勢、つまり液晶パネル１１及び導光板１９（光学部材１５）の板面と直交させた姿勢でシャーシ１４内に収容されている。すなわち、このＬＥＤ基板１８は、板面における長辺方向（長さ方向）がＸ軸方向と、短辺方向（幅方向）がＺ軸方向と、それぞれ一致し、さらには板面と直交する板厚方向がＹ軸方向と一致した姿勢とされる。ＬＥＤ基板１８は、導光板１９とシャーシ１４における一方の長辺側の側部１４ｃとの間に介在するよう配され、シャーシ１４に対してはＺ軸方向に沿って表側から収容されるようになっている。ＬＥＤ基板１８は、ＬＥＤ１７が実装される実装面１８ａとは反対側の板面がシャーシ１４における長辺側の側部１４ｃの内面に接する形でそれぞれ取り付けられている。従って、ＬＥＤ基板１８に実装された各ＬＥＤ１７の発光面１７ａが、後述する導光板１９の長辺側の端面（入光端面１９ｂ）と対向状をなすとともに、各ＬＥＤ１７における光軸、つまり発光強度が最も高い光の進行方向がＹ軸方向（液晶パネル１１の板面に並行する方向、ＬＥＤ１７と導光板１９との並び方向、入光端面１９ｂの法線方向）とほぼ一致する。
【００５０】
ＬＥＤ基板１８は、図３及び図４に示すように、その内側、つまり導光板１９側を向いた板面（導光板１９との対向面）が、上記した構成のＬＥＤ１７が表面実装された実装面１８ａとされる。ＬＥＤ１７は、ＬＥＤ基板１８の実装面１８ａにおいて、その長さ方向（Ｘ軸方向）に沿って複数が所定の間隔を空けつつ一列に（直線的に）並んで配置されている。つまり、ＬＥＤ１７は、バックライト装置１２における一方の長辺側の端部において長辺方向に沿って複数が間欠的に並んで配置されている、と言える。従って、ＬＥＤ１７の並び方向は、ＬＥＤ基板１８の長さ方向（Ｘ軸方向）と一致していることになる。Ｘ軸方向について隣り合うＬＥＤ１７間の間隔、つまりＬＥＤ１７の配列間隔（配列ピッチ）は、ほぼ等しいものとされており、別言するとＬＥＤ１７は等ピッチ配列されている、と言える。また、ＬＥＤ基板１８の実装面１８ａには、Ｘ軸方向に沿って延在するとともにＬＥＤ１７群を横切って隣り合うＬＥＤ１７同士を直列に接続する、金属膜（銅箔など）からなる配線パターン（図示せず）が形成されており、この配線パターンの端部に形成された端子部に対して図示しないＬＥＤ駆動回路基板が同じく図示しない配線部材などを介して電気的に接続されることで、各ＬＥＤ１７に駆動電力を供給することが可能とされる。このＬＥＤ基板１８は、板面の片面のみが実装面１８ａとされる片面実装タイプとされている。このＬＥＤ基板１８の基材は、例えばアルミニウムなどの金属製とされ、その表面に絶縁層を介して既述した配線パターン（図示せず）が形成されている。なお、ＬＥＤ基板１８の基材に用いる材料としては、合成樹脂やセラミックなどの絶縁材料を用いることも可能である。
【００５１】
導光板１９は、屈折率が空気よりも十分に高く且つほぼ透明な（透光性に優れた）合成樹脂材料（例えばＰＭＭＡなどのアクリル樹脂材料など）からなる。導光板１９は、図２及び図３に示すように、液晶パネル１１及びシャーシ１４と同様に平面に視て横長の方形状をなすとともに光学部材１５よりも厚みが大きな板状をなしており、その板面における長辺方向がＸ軸方向と、短辺方向がＹ軸方向とそれぞれ一致し、且つ板面と直交する板厚方向がＺ軸方向と一致している。導光板１９は、図４及び図５に示すように、シャーシ１４内において液晶パネル１１及び光学部材１５の直下位置に配されており、その外周端面のうちの一方（図２及び図３に示す手前側、図４に示す左側）の長辺側の端面がシャーシ１４における長辺側の一端部に配されたＬＥＤ基板１８の各ＬＥＤ１７とそれぞれ対向状をなしている。従って、ＬＥＤ１７（ＬＥＤ基板１８）と導光板１９との並び方向がＹ軸方向と一致するのに対して、光学部材１５（液晶パネル１１）と導光板１９との並び方向がＺ軸方向と一致しており、両並び方向が互いに直交するものとされる。そして、導光板１９は、ＬＥＤ１７からＹ軸方向に向けて発せられた光を導入するとともに、その光を内部で伝播させつつ光学部材１５側（表側）へ向くよう立ち上げて出射させる機能を有する。
【００５２】
導光板１９における一対の板面のうちの表側の板面が、図４及び図５に示すように、内部の光を光学部材１５及び液晶パネル１１に向けて出射させる出光板面（光出射面）１９ａとなっている。導光板１９における板面に対して隣り合う外周端面のうち、Ｘ軸方向（ＬＥＤ１７の並び方向、ＬＥＤ基板１８の長辺方向）に沿って長手状をなす長辺側の一対の端面のうち、一方（図２及び図３に示す手前側）の長辺側の端面は、ＬＥＤ１７（ＬＥＤ基板１８）と所定の空間を空けて対向状をなしており、これがＬＥＤ１７から発せられた光が直接的に入射される入光端面（光入射面）１９ｂとなっている。この入光端面１９ｂは、ＬＥＤ１７と対向状をなしていることから、「ＬＥＤ対向端面（光源対向端面）」であるとも言える。入光端面１９ｂは、Ｘ軸方向及びＺ軸方向に沿って並行する面とされ、出光板面１９ａに対して略直交する面とされる。これに対して、導光板１９の上記外周端面のうち、入光端面１９ｂを除いた部分（他方の長辺側の端面及び短辺側の一対の端面）が、ＬＥＤ１７から発せられた光が直接的に入射されることがない非入光端面１９ｄとされる。この非入光端面１９ｄは、ＬＥＤ１７と対向状をなしていないことから、「ＬＥＤ非対向端面（光源非対向端面）」であるとも言える。非入光端面１９ｄは、導光板１９の上記外周端面における長辺側の一対の端面のうちの他方の端面、つまり上記した入光端面１９ｂとは反対側の端面から構成される非入光反対端面１９ｄ１と、入光端面１９ｂ及び非入光反対端面１９ｄ１に対して隣り合う短辺側の一対の端面から構成される一対の非入光側端面１９ｄ２と、からなる。なお、本実施形態では、ＬＥＤ非対向端面のことを「非入光端面１９ｄ」として説明しているが、光が全く入射しないことまでを意味するものではなく、例えば非入光端面１９ｄから一旦外側に漏れ出した光が例えばシャーシ１４の側部１４ｃによって反射されて戻された場合にはその戻される光が非入光端面１９ｄに入射することもあり得る。
【００５３】
導光板１９における裏側、つまり出光板面１９ａとは反対側の反対板面１９ｃに対しては、反射シート（導光板側反射部材、反射部材）２５が裏側に重なる形で配されている。反射シート２５は、表面が光の反射性に優れた白色を呈する合成樹脂製（例えば発泡ＰＥＴ製）とされていて、導光板１９内を伝播して反対板面１９ｃに達した光を反射することでその光を表側、つまり出光板面１９ａへ向かうよう立ち上げるものとされる。反射シート２５は、導光板１９の反対板面１９ｃをほぼ全域にわたって覆う形で配されている。反射シート２５は、平面に視てＬＥＤ基板１８（ＬＥＤ１７）と重畳する範囲にまで拡張されてその拡張部分と表側のフレーム側反射シート２４との間でＬＥＤ基板１８（ＬＥＤ１７）を挟み込む形で配されている。これにより、ＬＥＤ１７からの光を両反射シート２４，２５間で繰り返し反射することで、入光端面１９ｂに対して効率的に入射させることができる。この導光板１９の反対板面１９ｃには、導光板１９内の光を出光板面１９ａに向けて反射させることで出光板面１９ａから出射を促すための光反射部からなる光反射パターン（図示せず）が形成されている。この光反射パターンを構成する光反射部は、多数の光反射ドットからなるものとされており、その分布密度が入光端面１９ｂ（ＬＥＤ１７）からの距離に応じて変化するものとされる。具体的には、光反射部を構成する光反射ドットの分布密度は、Ｙ軸方向について入光端面１９ｂから遠ざかるほど（非入光反対端面１９ｄ１に近づくほど）高くなり、逆に入光端面１９ｂに近づくほど（非入光反対端面１９ｄ１から遠ざかるほど）低くなる傾向にあり、それにより出光板面１９ａからの出射光が面内において均一な分布となるよう制御されている。
【００５４】
次に、波長変換シート２０に関して詳しく説明する。波長変換シート２０は、図４及び図５に示すように、その外周縁部が、フレーム１６の枠状部１６ａに対して表側から直接載せられている。波長変換シート２０は、図６に示すように、ＬＥＤ１７からの光を波長変換するための蛍光体（波長変換物質）を含有する波長変換層（蛍光体フィルム）２０ａと、波長変換層２０ａを表裏から挟み込んでこれを保護する一対の保護層（保護フィルム）２０ｂと、から構成されている。波長変換層２０ａには、ＬＥＤ１７からの青色の単色光を励起光として、赤色の光（赤色に属する特定の波長領域の可視光線）を発する赤色蛍光体と、緑色（緑色に属する特定の波長領域の可視光線）の光を発する緑色蛍光体と、が分散配合されている。これにより、波長変換シート２０は、ＬＥＤ１７の発光光（青色の光、一次光）をその色味（青色）に対して補色となる色味（黄色）を呈する二次光（緑色の光及び赤色の光）に波長変換するものとされる。波長変換層２０ａは、ほぼ透明な合成樹脂製でフィルム状をなす基材（蛍光体担体）２０ａ１に、赤色蛍光体及び緑色蛍光体を分散配合した蛍光体層２０ａ２を塗布してなるものとされる。保護層２０ｂは、ほぼ透明な合成樹脂製でフィルム状をなしており、防湿性などに優れるものとされる。
【００５５】
より詳しくは、波長変換層２０ａに含有される各色の蛍光体は、いずれも励起光が青色の光とされており、次のような発光スペクトルを有している。すなわち、緑色蛍光体は、青色の光を励起光として、緑色に属する波長領域（約５００ｎｍ〜約５７０ｎｍ）の光、つまり緑色の光を蛍光光として発するものとされる。緑色蛍光体は、好ましくは、ピーク波長が緑色の光の波長範囲の中の約５３０ｎｍとされ且つ半値幅が４０ｎｍ未満とされる発光スペクトルを有する。赤色蛍光体は、青色の光を励起光として、赤色に属する波長領域（約６００ｎｍ〜約７８０ｎｍ）の光、つまり赤色の光を蛍光光として発するものとされる。赤色蛍光体は、好ましくは、ピーク波長が赤色の光の波長範囲の中の約６１０ｎｍとされ且つ半値幅が４０ｎｍ未満とされる発光スペクトルを有する。
【００５６】
このように、各色の蛍光体は、励起波長が蛍光波長よりも短波長とされるダウンコンバージョン型（ダウンシフティング型）とされている。このダウンコンバージョン型の蛍光体は、相対的に短波長で且つ高いエネルギーを持つ励起光を、相対的に長波長で且つ低いエネルギーを持つ蛍光光に変換するものとされる。従って、仮に励起波長が蛍光波長よりも長波長とされるアップコンバージョン型の蛍光体を用いた場合（量子効率が例えば２８％程度）に比べると、量子効率（光の変換効率）が３０％〜５０％程度と、より高いものとなっている。各色の蛍光体は、それぞれ量子ドット蛍光体（Quantum Dot Phosphor）とされる。量子ドット蛍光体は、ナノサイズ（例えば直径２ｎｍ〜１０ｎｍ程度）の半導体結晶中に電子・正孔や励起子を三次元空間全方位で閉じ込めることで、離散的エネルギー準位を有しており、そのドットのサイズを変えることで発光光のピーク波長（発光色）などを適宜に選択することが可能とされる。この量子ドット蛍光体の発光光（蛍光光）は、その発光スペクトルにおけるピークが急峻となってその半値幅が狭くなることから、色純度が極めて高くなるとともにその色域が広いものとなる。量子ドット蛍光体の材料としては、２価の陽イオンになるＺｎ、Ｃｄ、Ｈｇ、Ｐｂ等と２価の陰イオンになるＯ、Ｓ、Ｓｅ、Ｔｅ等とを組み合わせた材料（ＣｄＳｅ（セレン化カドミウム）、ＺｎＳ（硫化亜鉛）等）、３価の陽イオンとなるＧａ、Ｉｎ等と３価の陰イオンとなるＰ、Ａｓ、Ｓｂ等とを組み合わせた材料（ＩｎＰ（リン化インジウム）、ＧａＡｓ（ヒ化ガリウム）等）、さらにはカルコパイライト型化合物（ＣｕＩｎＳｅ2等）などがある。本実施形態では、量子ドット蛍光体の材料として、上記のうちのＣｄＳｅとＺｎＳとを併用している。また、本実施形態において用いる量子ドット蛍光体は、いわゆるコア・シェル型量子ドット蛍光体とされる。コア・シェル型量子ドット蛍光体は、量子ドットの周囲を、比較的バンドギャップの大きな半導体物質からなるシェルによって被覆した構成とされる。具体的には、コア・シェル型量子ドット蛍光体として、シグマ  アルドリッチ  ジャパン合同会社の製品である「Lumidot（登録商標）  ＣｄＳｅ／ＺｎＳ」を用いるのが好ましい。
【００５７】
ところで、本実施形態のようなエッジライト型のバックライト装置１２では、図４及び図５に示すように、導光板１９の出光板面１９ａから出射した光は、その全てが波長変換シート２０により波長変換されてそのままバックライト装置１２の出射光として利用されるとは限らず、再帰反射されて導光板１９側に戻されるなどした後にバックライト装置１２の出射光として利用される場合もある。この再帰反射光は、導光板１９の中央側よりも外周側の方が再帰反射回数、つまり波長変換シート２０の通過回数が少なくなりがちとされるため、波長変換される確率が低いものとされる。このため、導光板１９の外周側（非入光端面１９ｄを含む）から出射する再帰反射光は、導光板１９の中央側から出射する再帰反射光に比べてＬＥＤ１７の光の色味、つまり青色に近い色味となっている。また、導光板１９内を伝播する光の全てが出光板面１９ａから出射するとは限らず、非入光端面１９ｄからも出射され得るものとされる。特に、ＬＥＤ１７から発せられて導光板１９の入光端面１９ｂに入射されて導光板１９内を伝播され、そのまま非入光端面１９ｄから出射する光は、青色を呈するものとされる。従来では、導光板１９の外周側から出射した光は、波長変換シート２０によって波長変換され難いものとされていたため、その光が例えば緩衝材２６と導光板１９との間の隙間を通って外部に漏れ出すと、バックライト装置１２の出射光が外周側でのみ青色味を帯びたものとなるおそれがあった。このように、バックライト装置１２の出射光は、外周側と中央側とで色味に差が生じ易いものとなっていた。
【００５８】
そこで、本実施形態に係るバックライト装置１２は、図３から図５に示すように、導光板１９の反対板面１９ｃのうちの少なくとも中央側部分が、出光板面１９ａに並行する並行板面２７とされ、外周側部分の少なくとも一部が外周端面に近づくに連れて出光板面１９ａに近づくよう出光板面１９ａに対して傾斜状をなす傾斜状板面２８とされるのに加えて、反射シート２５が、上記した導光板１９の並行板面２７に倣って配される並行反射部２９と、上記した導光板１９の傾斜状板面２８に倣って配される傾斜状反射部３０と、を有する構成となっている。このような構成によれば、導光板１９内の外周側部分のうち反対板面１９ｃに傾斜状板面２８が設けられた部分に存在する光が反対板面１９ｃである傾斜状板面２８から出光板面１９ａに至るまでの光路長が、中央側部分に存在する光が反対板面１９ｃである並行板面２７から出光板面１９ａに至るまでの光路長よりも短いものとなる。この光路長が短くなるほど、光が反対板面１９ｃと出光板面１９ａとの間で繰り返し全反射される回数が多くなるとともに反対板面１９ｃに配される光反射パターンによって散乱反射される確率が高くなる傾向にある。そして、導光板１９内の外周側部分のうち反対板面１９ｃに傾斜状板面２８が設けられた部分に存在する光（光反射パターンによって散乱反射される光を含む）が、傾斜状板面２８に倣って配される反射シート２５の傾斜状反射部３０により反射されて表側へ向けて立ち上げられる。つまり、導光板１９の外周側部分のうち反対板面１９ｃに傾斜状板面２８が設けられた部分では、内部に存在する光が光反射パターンによって散乱反射され易くなるとともに傾斜状反射部３０により反射されることで、出光板面１９ａからの出光がより促進されることになる。従って、傾斜状反射部３０による反射光は、並行板面２７に倣って配される並行反射部２９による反射光に比べると、再帰反射回数、つまり波長変換シート２０の通過回数が相対的に多いものとなる。これにより、導光板１９の外周側部分のうち反対板面１９ｃに傾斜状板面２８が設けられた部分を透過した再帰反射光が波長変換シート２０によって十分に波長変換される。以上により、バックライト装置１２における中央側と外周側とで出射光の色味に差が生じ難くなり、出射光に色ムラが生じ難いものとされる。
【００５９】
詳しくは、導光板１９及び反射シート２５は、図７に示すように、平面に視て中央側部分が導光板１９の外形よりも一回り小さな横長の方形状をなしているのに対し、外周側部分が中央側部分を全周にわたって取り囲む横長の枠状をなしている。並行板面２７は、導光板１９の反対板面１９ｃにおける中央側部分と、外周側部分のうちの入光端面１９ｂに倣う部分（図７に示される下側の長辺部）と、により構成されている。傾斜状板面２８は、導光板１９の反対板面１９ｃにおける外周側部分のうちの入光端面１９ｂに倣う部分を除いた全域、つまり非入光端面１９ｄに倣う部分の全域により構成されている。より詳しくは、傾斜状板面２８は、導光板１９の反対板面１９ｃにおける外周側部分のうち、非入光反対端面１９ｄ１に倣う非入光反対端面側傾斜状板面（図７に示される上側の長辺部）２８ａと、一対の非入光側端面１９ｄ２に倣う非入光側端面側傾斜状板面（図７に示される左右一対の長辺部）２８ｂと、から構成されている。これに対し、並行反射部２９は、図８に示すように、反射シート２５における中央側部分と、外周側部分のうちの入光端面１９ｂに倣う部分（図８に示される下側の長辺部）と、により構成されている。これに対し、傾斜状反射部３０は、反射シート２５における外周側部分のうちの入光端面１９ｂに倣う部分を除いた全域、つまり非入光端面１９ｄに倣う部分の全域により構成されている。傾斜状反射部３０は、反射シート２５における外周側部分のうち、非入光反対端面１９ｄ１に倣う非入光反対端面側傾斜状反射部（図８に示される上側の長辺部）３０ａと、一対の非入光側端面１９ｄ２に倣う非入光側端面側傾斜状反射部（図８に示される左右一対の長辺部）３０ｂと、から構成されている。ここで、ＬＥＤ１７から発せられて導光板１９の入光端面１９ｂに入射してから導光板１９内を伝播する光は、導光板１９の外周端面のうち入光端面１９ｂを除いた非入光端面１９ｄから出射し易く、特に一対の非入光側端面１９ｄ２からより多く出射することが懸念されていた。その点、上記のように導光板１９の反対板面１９ｃの外周側部分のうち非入光端面１９ｄに倣う部分（非入光反対端面側傾斜状板面２８ａ及び一対の非入光側端面側傾斜状板面２８ｂ）の全域が傾斜状板面２８とされているので、導光板１９の外周側部分のうち非入光端面１９ｄ（非入光反対端面１９ｄ１及び一対の非入光側端面１９ｄ２）付近を透過した再帰反射光の再帰反射回数、つまり波長変換シート２０の通過回数を多くすることができる。これにより、非入光端面１９ｄから出射した光が例えば緩衝材２６と導光板１９との間の隙間を通って外部に漏れ出した場合でも、バックライト装置１２の外周側における出射光と中央側における出射光とに色味の差が生じ難くなり、色ムラの発生をより好適に抑制することができる。なお、図７及び図８では、ＬＥＤ１７及びＬＥＤ基板１８の外形を二点鎖線により図示している。
【００６０】
導光板１９は、図４及び図５に示すように、並行板面２７が出光板面１９ａに並行するようＸ軸方向及びＹ軸方向に沿って延在するフラットな面とされているのに対し、傾斜状板面２８が出光板面１９ａ及び並行板面２７に対して傾斜状をなしていて直線状の傾斜面とされている。従って、導光板１９のうち並行板面２７が形成された部分（並行板面形成部）は、その厚み（反対板面１９ｃと出光板面１９ａとの間の距離）が全域にわたってほぼ一定とされているのに対し、傾斜状板面２８が形成された部分（傾斜状板面形成部）は、並行板面２７に近づく（中央側）ほど厚くなってその最大値が例えば上記並行板面形成部の厚みに近い値となり、外周端面に近づく（外側）ほど薄くなってその最小値が例えば上記並行板面形成部の半分弱程度とされる。つまり、傾斜状板面２８は、導光板１９の板面内において中央側から端側に向かうに従って反対板面１９ｃと出光板面１９ａとの間の距離が連続的に漸次短くなるよう傾斜状をなしていることになる。このような構成によれば、仮に傾斜状板面を曲線状の曲面とした場合に比べると、導光板１９の反対板面１９ｃに傾斜状板面２８をより高い寸法精度でもって設けることができる。また、傾斜状板面２８は、出光板面１９ａに対する傾斜角度が、導光板１９の外周側部分における非入光端面１９ｄに倣う部分の全域にわたってほぼ一定とされる。傾斜状板面２８は、その内端位置、つまり並行板面２７との境界位置がフレーム１６の枠状部１６ａにおける内端位置、つまり液晶パネル１１の表示領域の外周端位置よりも内側（中央側）になるよう配されている。これにより、傾斜状板面２８に倣う傾斜状反射部３０によって反射した光を液晶パネル１１の表示領域へと効率的に供給することができる。なお、反射シート２５を構成する並行反射部２９及び傾斜状反射部３０は、上記した並行板面２７及び傾斜状板面２８と同様の構成とされている。
【００６１】
また、反射シート２５は、図４及び図５に示すように、傾斜状反射部３０が導光板１９の傾斜状板面２８に対して接着層３１を介して接着されている。この接着層３１は、ほぼ透明な材料からなり、具体的には例えばＯＣＡなどの透明光学粘着フィルム、透明接着剤、透明光硬化性樹脂（透明紫外線硬化性樹脂などを含む）、透明両面テープなどを用いることが可能である。このような構成によれば、接着層３１によって傾斜状反射部３０が導光板１９の傾斜状板面２８に対して安定した位置関係に保たれるので、導光板１９の反対板面１９ｃ側からの光を傾斜状反射部３０により高い効率でもって反射することができる。
【００６２】
本実施形態は以上のような構造であり、続いてその作用を説明する。上記した構成の液晶表示装置１０の電源をＯＮすると、図示しないコントロール基板のパネル制御回路により液晶パネル１１の駆動が制御されるとともに、図示しないＬＥＤ駆動回路基板のＬＥＤ駆動回路からの駆動電力がＬＥＤ基板１８の各ＬＥＤ１７に供給されることでその駆動が制御される。各ＬＥＤ１７からの光は、導光板１９により導光されることで、光学部材１５を介して液晶パネル１１に照射され、もって液晶パネル１１に所定の画像が表示される。以下、バックライト装置１２に係る作用について詳しく説明する。
【００６３】
各ＬＥＤ１７を点灯させると、各ＬＥＤ１７から出射した光は、図４に示すように、導光板１９における入光端面１９ｂに入射する。ここで、ＬＥＤ１７と入光端面１９ｂとの間には、所定の空間が保有されているものの、その空間が表側のフレーム側反射シート２４と裏側の反射シート２５の延長部分との間に挟み込まれているから、ＬＥＤ１７からの光は両反射シート２４，２５の対向部分により繰り返し反射されることで、効率的に入光端面１９ｂに入射される。入光端面１９ｂに入射した光は、導光板１９における外部の空気層との界面にて全反射されたり、反射シート２５により反射されるなどして導光板１９内を伝播されつつ、光反射パターンの光反射部にて散乱反射されることで、出光板面１９ａに対する入射角が臨界角を超えない光となって出光板面１９ａからの出射が促されるようになっている。導光板１９の出光板面１９ａを出射した光は、各光学部材１５を透過する過程でそれぞれ光学作用を付与された上で液晶パネル１１に対して照射されるのであるが、その一部については各光学部材１５にて再帰反射されることで導光板１９内に戻された後に再帰反射光として出光板面１９ａなどから出射してバックライト装置１２の出射光となる。
【００６４】
続いて、光学部材１５の光学作用について詳しく説明する。導光板１９の出光板面１９ａを出射した青色の光は、図４に示すように、出光板面１９ａに対して表側に間隔を空けて配される波長変換シート２０に含有される緑色蛍光体及び赤色蛍光体により緑色の光及び赤色の光（二次光）へと波長変換される。この波長変換された緑色の光及び赤色の光、つまり黄色の光（二次光）と、ＬＥＤ１７の青色の光（一次光）と、によって概ね白色の照明光が得られることになる。これらＬＥＤ１７の青色の光（一次光）と、波長変換された緑色の光及び赤色の光（二次光）と、は、マイクロレンズシート２１にてＸ軸方向及びＹ軸方向について等方的に集光作用（等方性集光作用）が付与された後に、プリズムシート２２にてＹ軸方向について選択的に集光作用（異方性集光作用）が付与される。その後、プリズムシート２２を出射した光は、反射型偏光シート２３にて特定の偏光光（ｐ波）が選択的に透過されて液晶パネル１１に向けて出射するのに対し、それとは異なる特定の偏光光（ｓ波）が選択的に裏側へと反射される。反射型偏光シート２３にて反射されたｓ波やプリズムシート２２及びマイクロレンズシート２１にて集光作用を付与されずに裏側へと反射された光などは、導光板１９内に戻されて導光板１９内を伝播する過程で反射シート２５にて再び反射されるなどして再び出光板面１９ａなどから表側へと出射されることになる。
【００６５】
ここで、導光板１９内を伝播する光には、図４及び図５に示すように、一旦出光板面１９ａから出射した後に再び導光板１９内に戻される再帰反射光が含まれているが、この再帰反射光は、導光板１９の中央側よりも外周側の方が再帰反射回数、つまり波長変換シート２０の通過回数が少なくなりがちとされるため、導光板１９の外周側（外周端面を含む）から出射する再帰反射光は、導光板１９の中央側から出射する再帰反射光に比べてＬＥＤ１７の青色の光（一次光）の色味に近い青色味を帯びたものとなっている。また、ＬＥＤ１７から発せられて導光板１９内を伝播する青色の光（一次光）は、その全てが出光板面１９ａから出射するとは限らず、一部については導光板１９の外周端面のうち非入光端面１９ｄからそのまま出射し得るものとされる。その点、本実施形態に係るバックライト装置１２は、導光板１９の反対板面１９ｃのうちの少なくとも中央側部分が、出光板面１９ａに並行する並行板面２７とされ、外周側部分の少なくとも一部が外周端面に近づくに連れて出光板面１９ａに近づくよう出光板面１９ａに対して傾斜状をなす傾斜状板面２８とされるのに加えて、反射シート２５が、上記した導光板１９の並行板面２７に倣って配される並行反射部２９と、上記した導光板１９の傾斜状板面２８に倣って配される傾斜状反射部３０と、を有する構成となっているから、導光板１９内の外周側部分のうち反対板面１９ｃに傾斜状板面２８が設けられた部分に存在する光が反対板面１９ｃである傾斜状板面２８から出光板面１９ａに至るまでの光路長が、中央側部分に存在する光が反対板面１９ｃである並行板面２７から出光板面１９ａに至るまでの光路長よりも短いものとなるので、光が反対板面１９ｃと出光板面１９ａとの間で繰り返し全反射される回数が多くなるとともに反対板面１９ｃに配される光反射パターンによって散乱反射される確率が高くなる。そして、導光板１９内の外周側部分のうち反対板面１９ｃに傾斜状板面２８が設けられた部分に存在する光（光反射パターンによって散乱反射される光を含む）が、傾斜状板面２８に倣って配される反射シート２５の傾斜状反射部３０により反射されて表側へ向けて立ち上げられる。つまり、導光板１９の外周側部分のうち反対板面１９ｃに傾斜状板面２８が設けられた部分では、内部に存在する光が光反射パターンによって散乱反射され易くなるとともに傾斜状反射部３０により反射されることで、出光板面１９ａからの出光がより促進されることになる。従って、傾斜状反射部３０による反射光は、並行板面２７に倣って配される並行反射部２９による反射光に比べると、再帰反射回数、つまり波長変換シート２０の通過回数が相対的に多いものとなるので、青色の光（一次光）の波長変換が促進されて緑色の光及び赤色の光（二次光）に係る出射光に含まれる比率が従前よりも高いものとなり、もってバックライト装置１２における外周側において出射光が青色味を帯び難いものとなる。以上により、バックライト装置１２における中央側と外周側とで出射光の色味に差が生じ難くなり、出射光に色ムラが生じ難いものとされる。
【００６６】
しかも、傾斜状板面２８は、図７に示すように、導光板１９の反対板面１９ｃにおける外周側部分のうちの入光端面１９ｂに倣う部分を除いた全域、つまり非入光端面１９ｄに倣う部分（非入光反対端面１９ｄ１及び一対の非入光側端面１９ｄ２に倣う部分）の全域にわたって設けられ、非入光反対端面側傾斜状板面２８ａ及び一対の非入光側端面側傾斜状板面２８ｂにより構成されているから、導光板１９の外周側部分のうち非入光端面１９ｄ（非入光反対端面１９ｄ１及び一対の非入光側端面１９ｄ２）付近を透過した再帰反射光の再帰反射回数、つまり波長変換シート２０の通過回数を多くすることができる。これにより、非入光端面１９ｄから出射した青色味を帯びた光が例えば緩衝材２６と導光板１９との間の隙間を通って外部に漏れ出した場合でも、バックライト装置１２の外周側における出射光と中央側における出射光とに色味の差が生じ難くなり、色ムラの発生をより好適に抑制することができる。
【００６７】
以上説明したように本実施形態のバックライト装置（照明装置）１２は、ＬＥＤ（光源）１７と、外周端面の少なくとも一部であってＬＥＤ１７からの光が入射される入光端面１９ｂと、一対の板面のいずれかであって光を出射させる出光板面１９ａと、一対の板面のうち出光板面１９ａとは反対側の反対板面１９ｃと、を有する導光板１９であって、反対板面１９ｃのうちの少なくとも中央側部分が出光板面１９ａに並行する並行板面２７とされて外周側部分の少なくとも一部が外周端面に近づくに連れて出光板面１９ａに近づくよう出光板面１９ａに対して傾斜状をなす傾斜状板面２８とされる導光板１９と、導光板１９の出光板面１９ａに重なりＬＥＤ１７からの光を波長変換する蛍光体を含有する波長変換シート（波長変換部材）２０と、導光板１９の反対板面１９ｃに重なり光を反射する反射シート（反射部材）２５であって、並行板面２７に倣って配される並行反射部２９と、傾斜状板面２８に倣って配される傾斜状反射部３０と、を有する反射シート２５と、を備える。
【００６８】
このようにすれば、ＬＥＤ１７から発せられた光は、導光板１９の外周端面のうちの入光端面１９ｂに入射されて反射シート２５にて反射されるなどして導光板１９内を伝播された後に出光板面１９ａから出射される。出光板面１９ａから出射された光は、出光板面１９ａに重ねられる波長変換シート２０に含有される蛍光体によって波長変換される。ここで、導光板１９の出光板面１９ａから出射した光は、その全てが波長変換シート２０により波長変換されてそのまま当該バックライト装置１２の出射光として利用されるとは限らず、再帰反射されて導光板１９側に戻されるなどした後に当該バックライト装置１２の出射光として利用される場合もある。この再帰反射光は、当該バックライト装置１２における中央側よりも外周側の方が再帰反射回数が少なくなりがちとされるため、波長変換シート２０を通過する回数が少なくなり、波長変換される確率が低いものとされる。また、導光板１９内を伝播する光は、その全てが出光板面１９ａから出射するとは限らず、一部については導光板１９の外周端面から出射し得るものとされる。
【００６９】
その点、導光板１９は、反対板面１９ｃのうちの少なくとも中央側部分が出光板面１９ａに並行する並行板面２７とされ、外周側部分の少なくとも一部が外周端面に近づくに連れて出光板面１９ａに近づくよう出光板面１９ａに対して傾斜状をなす傾斜状板面２８とされているから、導光板１９内の外周側部分に存在する光が反対板面１９ｃから出光板面１９ａに至るまでの光路長が、中央側部分に存在する光が反対板面１９ｃから出光板面１９ａに至るまでの光路長よりも短いものとなる。そして、反射シート２５は、並行板面２７に倣って配される並行反射部２９と、傾斜状板面２８に倣って配される傾斜状反射部３０と、を有しているから、導光板１９内の外周側部分の少なくとも一部に存在する光のうち、上記光路長が相対的に短い光が傾斜状反射部３０により反射されることで、導光板１９の外周側部分の少なくとも一部を透過した再帰反射光の再帰反射回数、つまり波長変換シート２０の通過回数を多くすることができる。これにより、導光板１９の外周側部分の少なくとも一部を透過した再帰反射光が波長変換シート２０によって十分に波長変換される。以上により、当該バックライト装置１２の出射光に色ムラが生じ難いものとされる。
【００７０】
また、導光板１９は、外周端面のうち入光端面１９ｂに隣り合う端面がＬＥＤ１７からの光が直接入射されることのない非入光側端面１９ｄ２とされ、反対板面１９ｃの外周側部分のうち少なくとも非入光側端面１９ｄ２に倣う部分が傾斜状板面２８とされる。ＬＥＤ１７から発せられて導光板１９の入光端面１９ｂに入射してから導光板１９内を伝播する光は、導光板１９の外周端面のうち特に入光端面１９ｂに隣り合う非入光側端面１９ｄ２から出射し易く、それに起因して当該バックライト装置１２の外周側における出射光と中央側における出射光とに色味の差が生じ易くなっていた。その点、導光板１９は、反対板面１９ｃの外周側部分のうち少なくとも非入光側端面１９ｄ２に倣う部分が傾斜状板面２８とされているので、導光板１９の外周側部分のうち非入光側端面１９ｄ２付近を透過した再帰反射光の再帰反射回数、つまり波長変換シート２０の通過回数を多くすることができる。これにより、当該バックライト装置１２の外周側における出射光と中央側における出射光とに色味の差が生じ難くなり、色ムラの発生をより好適に抑制することができる。
【００７１】
また、導光板１９は、外周端面のうち入光端面１９ｂとは反対側の端面がＬＥＤ１７からの光が直接入射されることのない非入光反対端面１９ｄ１とされ、反対板面１９ｃの外周側部分のうち少なくとも非入光反対端面１９ｄ１に倣う部分が傾斜状板面２８とされる。ＬＥＤ１７から発せられて導光板１９の入光端面１９ｂに入射してから導光板１９内を伝播する光は、導光板１９の外周端面のうち入光端面１９ｂとは反対側の非入光反対端面１９ｄ１から出射し易く、それに起因して当該バックライト装置１２の外周側における出射光と中央側における出射光とに色味の差が生じ易くなっていた。その点、導光板１９は、反対板面１９ｃの外周側部分のうち少なくとも非入光反対端面１９ｄ１に倣う部分が傾斜状板面２８とされているので、導光板１９の外周側部分のうち非入光反対端面１９ｄ１付近を透過した再帰反射光の再帰反射回数、つまり波長変換シート２０の通過回数を多くすることができる。これにより、当該バックライト装置１２の外周側における出射光と中央側における出射光とに色味の差が生じ難くなり、色ムラの発生を好適に抑制することができる。
【００７２】
また、導光板１９は、外周端面のうち入光端面１９ｂを除いた端面がＬＥＤ１７からの光が直接入射されることのない非入光端面１９ｄとされ、反対板面１９ｃの外周側部分のうち少なくとも非入光端面１９ｄに倣う部分の全域が傾斜状板面２８とされる。ＬＥＤ１７から発せられて導光板１９の入光端面１９ｂに入射してから導光板１９内を伝播する光は、導光板１９の外周端面のうち入光端面１９ｂを除いた非入光端面１９ｄから出射し易く、それに起因して当該バックライト装置１２の外周側における出射光と中央側における出射光とに色味の差が生じ易くなっていた。その点、導光板１９は、反対板面１９ｃの外周側部分のうち少なくとも非入光端面１９ｄに倣う部分の全域が傾斜状板面２８とされているので、導光板１９の外周側部分のうち非入光端面１９ｄ付近を透過した再帰反射光の再帰反射回数、つまり波長変換シート２０の通過回数を多くすることができる。これにより、当該バックライト装置１２の外周側における出射光と中央側における出射光とに色味の差が生じ難くなり、色ムラの発生をより好適に抑制することができる。
【００７３】
また、導光板１９は、傾斜状板面２８が直線状の傾斜面となるよう構成される。このようにすれば、導光板１９の反対板面１９ｃに傾斜状板面２８をより高い寸法精度でもって設けることができる。
【００７４】
また、反射シート２５は、傾斜状反射部３０が導光板１９の傾斜状板面２８に対して接着層３１を介して接着されている。このようにすれば、接着層３１によって傾斜状反射部３０が導光板１９の傾斜状板面２８に対して安定した位置関係に保たれるので、導光板１９の反対板面１９ｃからの光を傾斜状反射部３０により高い効率でもって反射することができる。
【００７５】
また、波長変換シート２０は、蛍光体として量子ドット蛍光体を含有する。このようにすれば、波長変換シート２０による光の波長変換効率がより高いものとなるとともに、波長変換された光の色純度が高いものとなる。
【００７６】
本実施形態に係る液晶表示装置１０は、上記記載のバックライト装置１２と、バックライト装置１２から照射される光を利用して画像を表示する液晶パネル（表示パネル）１１と、を備える。このような構成の液晶表示装置１０によれば、バックライト装置１２の出射光が色ムラの発生が抑制されたものとなっているから、表示品位に優れた表示を実現することができる。
【００７７】
本実施形態に係るテレビ受信装置１０ＴＶは、上記記載の液晶表示装置１０を備える。このようなテレビ受信装置１０ＴＶによれば、液晶表示装置１０の表示品位が優れたものとされているから、表示品位に優れたテレビ画像の表示を実現することができる。
【００７８】
＜実施形態２＞
本発明の実施形態２を図９によって説明する。この実施形態２では、傾斜状板面１２８及び傾斜状反射部１３０の構成を変更したものを示す。なお、上記した実施形態１と同様の構造、作用及び効果について重複する説明は省略する。
【００７９】
本実施形態に係る傾斜状板面１２８は、図９に示すように、導光板１１９における並行板面１２７と外周端面との間の途中位置にて出光板面１１９ａに対する傾斜角度が変化するような構成となっている。このような構成によれば、導光板１１９の外周側部分のうち反対板面１１９ｃに傾斜状板面１２８が設けられた部分（傾斜状板面形成部）での光路長、つまり光の再帰反射回数を、傾斜状板面１２８の面内において容易に制御することができ、もって色ムラの抑制を図る上でより好適とされる。
【００８０】
詳しくは、傾斜状板面１２８は、並行板面１２７側（導光板１１９の中央側）に配される並行板面側傾斜状板面（中央側傾斜状板面）３２と、導光板１１９の外周端面側に配される外周端面側傾斜状板面３３と、から構成されており、並行板面側傾斜状板面３２の方が外周端面側傾斜状板面３３よりも出光板面１１９ａに対する傾斜角度が相対的に大きなものとされる。つまり、傾斜状板面１２８は、出光板面１１９ａに対する傾斜角度が２段階で変化するものとされており、相対的に反対板面１１９ｃの中央側部分の近くに配された並行板面側傾斜状板面３２に係る傾斜角度が相対的に大きくなるとともに、相対的に反対板面１１９ｃの中央側部分から遠くに配された外周端面側傾斜状板面３３に係る傾斜角度が相対的に小さくなるものとされる。また、並行板面側傾斜状板面３２及び外周端面側傾斜状板面３３は、それぞれの内端位置（立ち上がり基端位置）から外端位置（立ち上がり先端位置）までの距離（延面距離、幅寸法）がほぼ等しいものとされており、並行板面側傾斜状板面３２と外周端面側傾斜状板面３３との境界位置が、傾斜状板面１２８における中央位置とほぼ一致している。
【００８１】
これに対し、反射シート１２５を構成する傾斜状反射部１３０は、並行板面側傾斜状板面３２に倣って配される並行反射部側傾斜状反射部（中央側傾斜状反射部）３４と、外周端面側傾斜状板面３３に倣って配される外周端面側傾斜状反射部３５と、から構成されている。つまり、傾斜状反射部１３０は、出光板面１１９ａに対する傾斜角度が２段階で変化するものとされており、相対的に並行反射部１２９（反対板面１１９ｃの中央側部分）の近くに配された並行反射部側傾斜状反射部３４に係る傾斜角度が相対的に大きくなるとともに、相対的に並行反射部１２９から遠くに配された外周端面側傾斜状反射部３５に係る傾斜角度が相対的に小さくなるものとされる。なお、並行反射部側傾斜状反射部３４及び外周端面側傾斜状反射部３５の上記以外の詳しい構成は、並行板面側傾斜状板面３２及び外周端面側傾斜状板面３３と同様とされる。
【００８２】
ここで、傾斜状板面１２８における出光板面１１９ａに対する傾斜角度は、導光板１１９における反対板面１１９ｃと出光板面１１９ａとの間の距離（厚み）の変化率と比例的な相関関係にある。つまり、上記傾斜角度が大きくなるほど上記距離の変化率が大きくなり、逆に上記角度が小さくなるほど上記距離の変化率が小さくなる傾向にある。従って、並行板面側傾斜状板面３２の内端位置（並行板面１２７との境界位置）と外端位置（外周端面側傾斜状板面３３との境界位置、外周端面側傾斜状板面３３側の端位置）との間における上記距離の差は、外周端面側傾斜状板面３３の内端位置（並行板面側傾斜状板面３２との境界位置、並行板面側傾斜状板面３２側の端位置）と外端位置（導光板１１９の外周端面の位置）との間における上記距離の差よりも相対的に大きなものとされる。このことから、仮に並行板面側傾斜状板面と外周端面側傾斜状板面とにおける傾斜角度の大小関係を上記とは逆にした場合に比べると、外周端面側傾斜状板面３３における内端位置での上記距離、つまり導光板１１９内に存在する光の光路長が相対的に短いものとなる。これにより、導光板１１９の外周側部分のうち外周端面側傾斜状板面３３が設けられた部分での光の再帰反射回数をより多くすることができ、もって色ムラの抑制を図る上でより一層好適とされる。
【００８３】
以上説明したように本実施形態によれば、導光板１１９は、傾斜状板面１２８が、並行板面１２７と外周端面との間の途中位置にて出光板面１１９ａに対する傾斜角度が変化するよう構成される。このようにすれば、導光板１１９の外周側部分のうち反対板面１１９ｃに傾斜状板面１２８が設けられた部分での光路長、つまり光の再帰反射回数を、傾斜状板面１２８の面内において容易に制御することができ、もって色ムラの抑制を図る上でより好適とされる。
【００８４】
また、導光板１１９は、傾斜状板面１２８が、並行板面１２７側に配されて傾斜角度が相対的に大きな並行板面側傾斜状板面３２と、外周端面側に配されて傾斜角度が相対的に小さな外周端面側傾斜状板面３３と、を少なくとも有する構成とされる。このようにすれば、仮に並行板面側傾斜状板面と外周端面側傾斜状板面とにおける傾斜角度の大小関係を上記とは逆にした場合に比べると、並行板面側傾斜状板面３２における傾斜角度が相対的に大きくされることで、外周端面側傾斜状板面３３における並行板面側傾斜状板面３２側の端位置での光路長が相対的に短いものとなる。これにより、導光板１１９の外周側部分のうち外周端面側傾斜状板面３３が設けられた部分での光の再帰反射回数をより多くすることができ、もって色ムラの抑制を図る上でより一層好適とされる。
【００８５】
＜実施形態３＞
本発明の実施形態３を図１０から図１２によって説明する。この実施形態３では、上記した実施形態１から傾斜状板面２２８及び傾斜状反射部２３０の形成範囲を変更したものを示す。なお、上記した実施形態１と同様の構造、作用及び効果について重複する説明は省略する。
【００８６】
本実施形態に係る傾斜状板面２２８は、図１０及び図１１に示すように、導光板２１９の反対板面２１９ｃにおける外周側部分の全域にわたって設けられている。つまり、傾斜状板面２２８は、導光板２１９の反対板面２１９ｃにおける外周側部分のうちの非入光端面２１９ｄに倣う部分の全域に加えて、入光端面２１９ｂに倣う部分にも設けられている。より詳しくは、傾斜状板面２２８は、導光板２１９の反対板面２１９ｃにおける外周側部分のうち、非入光反対端面２１９ｄ１に倣う非入光反対端面側傾斜状板面（図１１に示される上側の長辺部）２２８ａと、一対の非入光側端面２１９ｄ２に倣う非入光側端面側傾斜状板面（図１１に示される左右一対の短辺部）２２８ｂと、入光端面２１９ｂに倣う入光端面側傾斜状板面（図１１に示される下側の長辺部）２２８ｃと、から構成されている。また、並行板面２２７は、導光板２１９の反対板面２１９ｃにおける中央側部分により構成されている。このように導光板２１９の反対板面２１９ｃに入光端面側傾斜状板面２２８ｃが設けられるのに伴い、図１０に示すように、導光板２１９の入光端面２１９ｂにおける高さ方向（Ｚ軸方向）についての中央位置が、導光板２１９の中央側部分における厚み方向（Ｚ軸方向）の中央位置に対して表側（波長変換シート２２０に近い側）に偏在している。これに応じてＬＥＤ２１７は、ＬＥＤ基板２１８における幅方向（Ｚ軸方向）の中央位置よりも表側に偏在しており、その高さ方向（Ｚ軸方向）の中央位置が入光端面２１９ｂにおける高さ方向についての中央位置とほぼ一致する位置関係とされている。また、ＬＥＤ２１７の高さ寸法は、入光端面２１９ｂの高さ寸法と概ね等しいものとされる。なお、図１１では、ＬＥＤ２１７及びＬＥＤ基板２１８の外形を二点鎖線により図示している。
【００８７】
これに対し、傾斜状反射部２３０は、図１０及び図１２に示すように、反射シート２２５における外周側部分のうちの非入光端面２１９ｄに倣う部分の全域に加えて、入光端面２１９ｂに倣う部分にも設けられている。つまり、傾斜状反射部２３０は、反射シート２２５における外周側部分のうち、非入光反対端面２１９ｄ１に倣う非入光反対端面側傾斜状反射部（図１２に示される上側の長辺部）２３０ａと、一対の非入光側端面２１９ｄ２に倣う非入光側端面側傾斜状反射部（図１２に示される左右一対の長辺部）２３０ｂと、入光端面２１９ｂに倣う入光端面側傾斜状反射部（図１２に示される下側の長辺部）２３０ｃと、から構成されている。また、並行反射部２２９は、反射シート２２５における中央側部分により構成されている。なお、図１２では、ＬＥＤ２１７及びＬＥＤ基板２１８の外形を二点鎖線により図示している。
【００８８】
このように、導光板２１９の反対板面２１９ｃにおける外周側部分の全域が傾斜状板面２２８とされているので、導光板２１９の外周側部分を透過した再帰反射光の再帰反射回数、つまり波長変換シート２２０の通過回数を多くすることができる。特に、導光板２１９の外周側部分のうち入光端面２１９ｂ付近を透過した再帰反射光の再帰反射回数、つまり波長変換シート２２０の通過回数を多くすることができるから、導光板２１９内を伝播する過程で入光端面２１９ｂから青色の光がそのまま出射した場合であっても、バックライト装置２１２の外周側における出射光と中央側における出射光とに色味の差が生じ難くなり、色ムラの発生をより好適に抑制することができる。
【００８９】
以上説明したように本実施形態によれば、導光板２１９は、反対板面２１９ｃの外周側部分のうち少なくとも入光端面２１９ｂに倣う部分が傾斜状板面２２８とされる。ＬＥＤ２１７から発せられて導光板２１９の入光端面２１９ｂに入射してから導光板２１９内を伝播する光は、導光板２１９の外周端面のうち入光端面２１９ｂから出射し易く、それに起因して当該バックライト装置２１２の外周側における出射光と中央側における出射光とに色味の差が生じ易くなっていた。その点、導光板２１９は、反対板面２１９ｃの外周側部分のうち少なくとも入光端面２１９ｂに倣う部分が傾斜状板面２２８とされているので、導光板２１９の外周側部分のうち入光端面２１９ｂ付近を透過した再帰反射光の再帰反射回数、つまり波長変換シート２２０の通過回数を多くすることができる。これにより、当該バックライト装置２１２の外周側における出射光と中央側における出射光とに色味の差が生じ難くなり、色ムラの発生をより好適に抑制することができる。
【００９０】
また、導光板２１９は、反対板面２１９ｃの外周側部分の全域が傾斜状板面２２８とされる。ＬＥＤ２１７から発せられて導光板２１９の入光端面２１９ｂに入射してから導光板２１９内を伝播する光は、導光板２１９の外周端面から出射し易く、それに起因して当該バックライト装置２１２の外周側における出射光と中央側における出射光とに色味の差が生じ易くなっていた。その点、導光板２１９は、反対板面２１９ｃの外周側部分の全域が傾斜状板面２２８とされているので、導光板２１９の外周側部分を透過した再帰反射光の再帰反射回数、つまり波長変換シート２２０の通過回数を多くすることができる。これにより、当該バックライト装置２１２の外周側における出射光と中央側における出射光とに色味の差が生じ難くなり、色ムラの発生をより好適に抑制することができる。
【００９１】
＜実施形態４＞
本発明の実施形態４を図１３によって説明する。この実施形態４では、上記した実施形態１から支持部材３６を追加したものを示す。なお、上記した実施形態１と同様の構造、作用及び効果について重複する説明は省略する。
【００９２】
本実施形態に係る反射シート３２５の傾斜状反射部３３０は、図１３に示すように、支持部材３６によって裏側（導光板３１９側とは反対側）から支持されている。支持部材３６は、傾斜状反射部３３０とシャーシ３１４の底部３１４ａとの間に介在する形で配されており、傾斜状反射部３３０を導光板３１９の外周側部分との間で挟み込んで保持している。支持部材３６は、例えば合成樹脂製とされており、その断面形状が略三角形状をなしている。また、支持部材３６は、シャーシ３１４の底部３１４ａにおける外周側部分のうち、傾斜状反射部３３０の配置領域におけるほぼ全域にわたって配されている。このように、支持部材３６によって傾斜状反射部３３０が導光板３１９の傾斜状板面３２８に対して安定した位置関係に保たれるので、導光板３１９の反対板面３１９ｃからの光を傾斜状反射部３３０により高い効率でもって反射することができる。なお、本実施形態では、上記した実施形態１に記載した接着層３１（図４及び図５を参照）が省略されている。
【００９３】
以上説明したように本実施形態によれば、反射シート３２５の傾斜状反射部３３０を、導光板３１９側とは反対側から支持する支持部材３６を備える。このようにすれば、支持部材３６によって傾斜状反射部３３０が導光板３１９の傾斜状板面３２８に対して安定した位置関係に保たれるので、導光板３１９の反対板面３１９ｃからの光を傾斜状反射部３３０により高い効率でもって反射することができる。
【００９４】
＜実施形態５＞
本発明の実施形態５を図１４によって説明する。この実施形態５では、上記した実施形態１から傾斜状板面４２８及び傾斜状反射部４３０の断面形状を変更したものを示す。なお、上記した実施形態１と同様の構造、作用及び効果について重複する説明は省略する。
【００９５】
本実施形態に係る傾斜状板面４２８は、図１４に示すように、曲線状の曲面とされ、それに倣って配される傾斜状反射部４３０も曲線状の断面を有しており、それらの接線が共に出光板面４１９ａに対して傾斜状をなしている。具体的には、傾斜状板面４２８及び傾斜状反射部４３０は、断面形状が略円弧状をなしており、その曲率中心が導光板４１９及び反射シート４２５に対して裏側に存在するものとされる。
【００９６】
＜実施形態６＞
本発明の実施形態６を図１５によって説明する。この実施形態６では、上記した実施形態５から傾斜状板面５２８及び傾斜状反射部５３０の断面形状を変更したものを示す。なお、上記した実施形態５と同様の構造、作用及び効果について重複する説明は省略する。
【００９７】
本実施形態に係る傾斜状板面５２８及び傾斜状反射部５３０は、図１５に示すように、断面形状が略円弧状をなしており、その曲率中心が導光板５１９及び反射シート５２５に対して表側に存在するものとされる。
【００９８】
＜実施形態７＞
本発明の実施形態７を図１６によって説明する。この実施形態７では、上記した実施形態２から傾斜状板面６２８及び傾斜状反射部６３０の構成を変更したものを示す。なお、上記した実施形態２と同様の構造、作用及び効果について重複する説明は省略する。
【００９９】
本実施形態に係る傾斜状板面６２８は、図１６に示すように、出光板面６１９ａに対する傾斜角度が３段階で変化するものとされている。詳しくは、傾斜状板面６２８は、並行板面６２７側（導光板６１９の中央側）に配される並行板面側傾斜状板面６３２と、導光板６１９の外周端面側に配される外周端面側傾斜状板面６３３と、並行板面側傾斜状板面６３２と外周端面側傾斜状板面６３３との間に配される中間傾斜状板面３７と、から構成されている。出光板面６１９ａに対する傾斜角度は、大きい方から並行板面側傾斜状板面６３２、外周端面側傾斜状板面６３３、中間傾斜状板面３７の順とされる。つまり、中間傾斜状板面３７は、出光板面６１９ａに対する傾斜角度が、並行板面側傾斜状板面６３２の同傾斜角度と外周端面側傾斜状板面６３３の同傾斜角度との間の大きさとなっている。また、並行板面側傾斜状板面６３２は、出光板面６１９ａに対する傾斜角度が最大とされ、外周端面側傾斜状板面６３３は、出光板面６１９ａに対する傾斜角度が最小とされる。このように傾斜状板面６２８は、導光板６１９の中央側部分に近づくほど出光板面６１９ａに対する傾斜角度が大きくなり、導光板６１９の中央側部分から遠ざかるほど出光板面６１９ａに対する傾斜角度が小さくなるよう構成されている。
【０１００】
これに対し、反射シート６２５を構成する傾斜状反射部６３０は、並行板面側傾斜状板面６３２に倣って配される並行反射部側傾斜状反射部６３４と、外周端面側傾斜状板面６３３に倣って配される外周端面側傾斜状反射部６３５と、中間傾斜状板面３７に倣って配される中間傾斜状反射部３８と、から構成されている。つまり、傾斜状反射部６３０は、出光板面６１９ａに対する傾斜角度が３段階で変化するものとされており、並行反射部６２９（反対板面６１９ｃの中央側部分）の最も近くに配された並行反射部側傾斜状反射部６３４に係る傾斜角度が最も大きくなるとともに、並行反射部６２９から最も遠くに配された外周端面側傾斜状反射部６３５に係る傾斜角度が最も小さくなるものとされ、さらには並行反射部６２９に対して並行反射部側傾斜状反射部６３４よりも遠く且つ外周端面側傾斜状反射部６３５よりも近い位置、つまり中間位置に配された中間傾斜状反射部３８に係る傾斜角度が中間の大きさとされている。
【０１０１】
＜実施形態８＞
本発明の実施形態８を図１７によって説明する。この実施形態８では、上記した実施形態１から傾斜状板面７２８の設置数を変更したものを示す。なお、上記した実施形態１と同様の構造、作用及び効果について重複する説明は省略する。
【０１０２】
本実施形態に係る傾斜状板面７２８は、図１７に示すように、導光板７１９の反対板面７１９ｃにおける外周側部分のうち、非入光反対端面７１９ｄ１に倣う部分には設けられることがなく、一対の非入光側端面７１９ｄ２に倣う部分のみに選択的に設けられている。つまり、本実施形態に係る傾斜状板面７２８には、一対の非入光側端面側傾斜状板面７２８ｂのみが含まれている。なお、図示しない反射シートの傾斜状反射部には、一対の非入光側端面側傾斜状板面７２８ｂに倣う形で配される一対の非入光側端面側傾斜状反射部のみが含まれている。また、図１７では、ＬＥＤ及びＬＥＤ基板の外形を二点鎖線により図示している。
【０１０３】
＜実施形態９＞
本発明の実施形態９を図１８によって説明する。この実施形態９では、上記した実施形態１から傾斜状板面８２８の設置数を変更したものを示す。なお、上記した実施形態１と同様の構造、作用及び効果について重複する説明は省略する。
【０１０４】
本実施形態に係る傾斜状板面８２８は、図１８に示すように、導光板８１９の反対板面８１９ｃにおける外周側部分のうち、一対の非入光側端面８１９ｄ２に倣う部分には設けられることがなく、非入光反対端面８１９ｄ１に倣う部分のみに選択的に設けられている。つまり、本実施形態に係る傾斜状板面８２８には、非入光反対端面側傾斜状板面８２８ａのみが含まれている。なお、図示しない反射シートの傾斜状反射部には、非入光反対端面側傾斜状板面８２８ａに倣う形で配される非入光反対端面側傾斜状反射部のみが含まれている。また、図１８では、ＬＥＤ及びＬＥＤ基板の外形を二点鎖線により図示している。
【０１０５】
＜実施形態１０＞
本発明の実施形態１０を図１９によって説明する。この実施形態１０では、上記した実施形態１からＬＥＤ９１７及びＬＥＤ基板９１８の配置を変更したものを示す。なお、上記した実施形態１と同様の構造、作用及び効果について重複する説明は省略する。
【０１０６】
本実施形態に係るバックライト装置９１２では、図１９に示すように、ＬＥＤ９１７及びＬＥＤ基板９１８が、一方（図１９に示す左側）の短辺側の端部に配された構成となっている。詳しくは、ＬＥＤ基板９１８は、実装された各ＬＥＤ９１７が導光板９１９の外周端面のうちの一方の短辺側の端面と対向する形で配されている。従って、本実施形態では、導光板９１９の外周端面のうち、一方の短辺側の端面がＬＥＤ９１７からの光が入射される入光端面９１９ｂとされるのに対し、残りの３つの端面（他方の短辺側の端面及び一対の長辺側の端面）が非入光端面９１９ｄとされる。非入光端面９１９ｄのうち、他方の短辺側の端面が入光端面９１９ｂとは反対側に配される非入光反対端面９１９ｄ１とされるのに対し、一対の長辺側の端面が入光端面９１９ｂに隣り合う一対の非入光側端面９１９ｄ２とされる。
【０１０７】
そして、傾斜状板面９２８は、導光板９１９の反対板面９１９ｃにおける外周側部分のうち、一方の短辺側の端面、つまり入光端面９１９ｂに倣う部分を除いた端面、つまり非入光端面９１９ｄに倣う部分に設けられている。具体的には、傾斜状板面９２８は、導光板９１９の反対板面９１９ｃにおける外周側部分のうち、他方の短辺側の端面、つまり非入光反対端面９１９ｄ１に倣う部分に設けられる非入光反対端面側傾斜状板面９２８ａと、一対の長辺側の端面、つまり一対の非入光側端面９１９ｄ２に倣う部分に設けられる一対の非入光側端面側傾斜状板面９２８ｂと、から構成されている。なお、図示しない反射シートの傾斜状反射部は、傾斜状板面９２８を構成する非入光反対端面側傾斜状板面９２８ａ及び各非入光側端面側傾斜状板面９２８ｂに倣う形で配されている。また、図１９では、ＬＥＤ９１７及びＬＥＤ基板９１８の外形を二点鎖線により図示している。
【０１０８】
＜実施形態１１＞
本発明の実施形態１１を図２０によって説明する。この実施形態１１では、上記した実施形態１から両側入光タイプのバックライト装置１０１２に変更したものを示す。なお、上記した実施形態１と同様の構造、作用及び効果について重複する説明は省略する。
【０１０９】
本実施形態に係るバックライト装置１０１２では、図２０に示すように、ＬＥＤ１０１７及びＬＥＤ基板１０１８が、長辺側の両端部にそれぞれ配された構成となっている。詳しくは、一対のＬＥＤ基板１０１８は、実装された各ＬＥＤ１０１７が導光板１０１９の外周端面のうちの一対の長辺側の端面のそれぞれと対向する形で配されている。従って、本実施形態では、導光板１０１９の外周端面のうちの一対の長辺側の端面のそれぞれがＬＥＤ１０１７からの光が入射される入光端面１０１９ｂとされるのに対し、残りの一対の短辺側の端面が非入光端面１０１９ｄとされる。従って、本実施形態に係る非入光端面１０１９ｄには、上記した実施形態１のような非入光反対端面１９ｄ１（図３を参照）が含まれることがなく、入光端面１０１９ｂに隣り合う一対の非入光側端面１０１９ｄ２のみが含まれている。このように本実施形態に係るバックライト装置１０１２は、導光板１０１９がその短辺方向（Ｙ軸方向）についての両側から一対のＬＥＤ基板１０１８及びそれらに実装された各ＬＥＤ１０１７によって挟み込まれてなる、両側入光タイプとされている。
【０１１０】
そして、傾斜状板面１０２８は、導光板１０１９の反対板面１０１９ｃにおける外周側部分のうち、一対の長辺側の端面（一対の入光端面１０１９ｂ）に倣う部分を除いて、一対の短辺側の端面（一対の非入光側端面１０１９ｄ２）に倣う部分のみに選択的に設けられている。具体的には、傾斜状板面１０２８は、導光板１０１９の反対板面１０１９ｃにおける外周側部分のうち、一対の非入光側端面１０１９ｄ２に倣う部分に設けられる一対の非入光側端面側傾斜状板面１０２８ｂのみから構成されている。なお、図示しない反射シートの傾斜状反射部は、傾斜状板面１０２８を構成する一対の非入光側端面側傾斜状板面１０２８ｂに倣う形で配されている。また、図２０では、ＬＥＤ１０１７及びＬＥＤ基板１０１８の外形を二点鎖線により図示している。
【０１１１】
＜実施形態１２＞
本発明の実施形態１２を図２１によって説明する。この実施形態１２では、上記した実施形態１１からＬＥＤ１１１７及びＬＥＤ基板１１１８の配置を変更したものを示す。なお、上記した実施形態１１と同様の構造、作用及び効果について重複する説明は省略する。
【０１１２】
本実施形態に係るバックライト装置１１１２では、図２１に示すように、ＬＥＤ１１１７及びＬＥＤ基板１１１８が、短辺側の両端部にそれぞれ配された構成となっている。詳しくは、ＬＥＤ基板１１１８は、実装された各ＬＥＤ１１１７が導光板１１１９の外周端面のうちの一対の短辺側の端面のそれぞれと対向する形で配されている。従って、本実施形態では、導光板１１１９の外周端面のうちの一対の短辺側の端面のそれぞれがＬＥＤ１１１７からの光が入射される入光端面１１１９ｂとされるのに対し、残りの一対の長辺側の端面が非入光端面１１１９ｄ（一対の非入光側端面１１１９ｄ２）とされる。このように本実施形態に係るバックライト装置１１１２は、導光板１１１９がその長辺方向（Ｘ軸方向）についての両側から一対のＬＥＤ基板１１１８及びそれらに実装された各ＬＥＤ１１１７によって挟み込まれてなる、両側入光タイプとされている。
【０１１３】
そして、傾斜状板面１１２８は、導光板１１１９の反対板面１１１９ｃにおける外周側部分のうち、一対の短辺側の端面（一対の入光端面１１１９ｂ）に倣う部分を除いて、一対の長辺側の端面（一対の非入光側端面１１１９ｄ２）に倣う部分のみに選択的に設けられている。具体的には、傾斜状板面１１２８は、導光板１１１９の反対板面１１１９ｃにおける外周側部分のうち、一対の非入光側端面１１１９ｄ２に倣う部分に設けられる一対の非入光側端面側傾斜状板面１１２８ｂのみから構成されている。なお、図示しない反射シートの傾斜状反射部は、傾斜状板面１１２８を構成する一対の非入光側端面側傾斜状板面１１２８ｂに倣う形で配されている。また、図２１では、ＬＥＤ１１１７及びＬＥＤ基板１１１８の外形を二点鎖線により図示している。
【０１１４】
＜実施形態１３＞
本発明の実施形態１３を図２２によって説明する。この実施形態１３では、上記した実施形態１１からＬＥＤ１２１７及びＬＥＤ基板１２１８の設置数を変更したものを示す。なお、上記した実施形態１１と同様の構造、作用及び効果について重複する説明は省略する。
【０１１５】
本実施形態に係るバックライト装置１２１２では、図２２に示すように、ＬＥＤ１２１７及びＬＥＤ基板１２１８が、長辺側の両端部と、一方（図２２に示す左側）の短辺側の端部と、にそれぞれ配された構成となっている。詳しくは、各ＬＥＤ基板１２１８は、実装された各ＬＥＤ１２１７が導光板１２１９の外周端面のうちの一対の長辺側の端面及び一方の短辺側の端面のそれぞれと対向する形で配されている。従って、本実施形態では、導光板１２１９の外周端面のうちの一対の長辺側の端面及び一方の短辺側の端面のそれぞれがＬＥＤ１２１７からの光が入射される入光端面１２１９ｂとされるのに対し、残りの他方の短辺側の端面が非入光端面１２１９ｄとされる。従って、本実施形態に係る非入光端面１２１９ｄは、短辺側の入光端面１２１９ｂに対しては非入光反対端面１２１９ｄ１となり且つ一対の長辺側の入光端面１２１９ｂに対しては非入光側端面１２１９ｄ２となっている。このように本実施形態に係るバックライト装置１２１２は、導光板１２１９がその３つの辺部に倣って配される３つのＬＥＤ基板１２１８及びそれらに実装された各ＬＥＤ１２１７から入光される、３辺入光タイプとされている。
【０１１６】
そして、傾斜状板面１２２８は、導光板１２１９の反対板面１２１９ｃにおける外周側部分のうち、他方の短辺側の端面（入光端面１２１９ｂ）に倣う部分及び一対の長辺側の端面（一対の非入光側端面１２１９ｄ２）に倣う部分を除いて、他方の短辺側の端面（非入光端面１２１９ｄ）に倣う部分のみに選択的に設けられている。具体的には、傾斜状板面１２２８は、導光板１２１９の反対板面１２１９ｃにおける外周側部分のうち、１つの非入光端面１２１９ｄに倣う部分に１つのみ配されている。なお、図示しない反射シートの傾斜状反射部は、傾斜状板面１２２８に倣う形で配されている。また、図２２では、ＬＥＤ１２１７及びＬＥＤ基板１２１８の外形を二点鎖線により図示している。
【０１１７】
＜実施形態１４＞
本発明の実施形態１４を図２３によって説明する。この実施形態１４では、上記した実施形態１３からＬＥＤ１３１７及びＬＥＤ基板１３１８の設置数を変更したものを示す。なお、上記した実施形態１３と同様の構造、作用及び効果について重複する説明は省略する。
【０１１８】
本実施形態に係るバックライト装置１３１２では、図２３に示すように、ＬＥＤ１３１７及びＬＥＤ基板１３１８が、長辺側の両端部と、短辺側の両端部と、にそれぞれ配された構成、つまり外周側端部の全周にわたって配された構成となっている。詳しくは、各ＬＥＤ基板１３１８は、実装された各ＬＥＤ１３１７が導光板１３１９の外周端面の全周にわたって対向する形で配されている。従って、本実施形態では、導光板１３１９の外周端面が全周にわたってＬＥＤ１３１７からの光が入射される入光端面１３１９ｂとされており、導光板１３１９の外周端面に非入光端面が有されない構成とされている。このように本実施形態に係るバックライト装置１３１３は、導光板１３１９がその４つの辺部に倣って配される４つのＬＥＤ基板１３１８及びそれらに実装された各ＬＥＤ１３１７から入光される、４辺入光タイプとされている。
【０１１９】
そして、傾斜状板面１３２８は、導光板１３１９の反対板面１３１９ｃにおける外周側部分の全域にわたって設けられている。つまり、傾斜状板面１３２８は、上記した実施形態３に記載した傾斜状板面２２８（図１１を参照）と同様の構成とされており、導光板１３１９の反対板面１３１９ｃにおける外周側部分のうち、４つの入光端面１３１９ｂに倣う部分のそれぞれに設けられている。なお、図示しない反射シートの傾斜状反射部は、傾斜状板面１３２８に倣う形で配されており、上記した実施形態３に記載した傾斜状反射部２３０（図１２を参照）と同様の構成とされる。また、図２３では、ＬＥＤ１３１７及びＬＥＤ基板１３１８の外形を二点鎖線により図示している。
【０１２０】
＜実施形態１５＞
本発明の実施形態１５を図２４から図３０によって説明する。本実施形態では、バックライト装置１４１２及びそれを用いた液晶表示装置１４１０について例示する。なお、各図面の一部にはＸ軸、Ｙ軸及びＺ軸を示しており、各軸方向が各図面で示した方向となるように描かれている。また、図２７及び図２８などに示す上側を表側とし、同図下側を裏側とする。
【０１２１】
本実施形態に係るテレビ受信装置１４１０ＴＶは、図２４に示すように、実施形態１と同様の液晶表示装置１４１０と、キャビネット１４１０Ｃａ，１４１０Ｃｂと、電源１４１０Ｐと、チューナー（受信部）１４１０Ｔと、スタンド１４１０Ｓと、を備えて構成される。なお、液晶表示装置１４１０を構成する液晶パネル１４１１は実施形態１の液晶パネル１１と同様の構成を備えている。
【０１２２】
一方、バックライト装置１４１２は、図２５に示すように、表側（液晶パネル１４１１側）に向けて開口する光出射部１４１４ｂを有した略箱型をなすシャーシ１４１４と、シャーシ１４１４の光出射部１４１４ｂを覆う形で配される光学部材（光学シート）１４１５と、を備える。さらに、シャーシ１４１４内には、光源であるＬＥＤ１４１７と、ＬＥＤ１４１７が実装されたＬＥＤ基板１４１８と、ＬＥＤ１４１７からの光を導光して光学部材１４１５（液晶パネル１４１１）へと導く導光板１４１９と、導光板１４１９などを表側から押さえるフレーム１４１６と、が備えられる。そして、このバックライト装置１４１２は、その長辺側の一対の端部のうちの一方（図２５及び図２６に示す手前側、図２７に示す左側）の端部に、ＬＥＤ基板１４１８が配されており、そのＬＥＤ基板１４１８に実装された各ＬＥＤ１４１７が液晶パネル１４１１における長辺側の一端部寄りに偏在していることになる。このように、本実施形態に係るバックライト装置１４１２は、ＬＥＤ１４１７の光が導光板１４１９に対して片側からのみ入光される片側入光タイプのエッジライト型（サイドライト型）とされている。続いて、バックライト装置１４１２の各構成部品について詳しく説明する。
【０１２３】
シャーシ１４１４は、金属製とされ、図２５及び図２６に示すように、液晶パネル１４１１と同様に横長の方形状をなす底部１４１４ａと、底部１４１４ａの各辺の外端からそれぞれ立ち上がる側部１４１４ｃと、からなり、全体としては表側に向けて開口した浅い略箱型をなしている。シャーシ１４１４（底部１４１４ａ）は、その長辺方向がＸ軸方向（水平方向）と一致し、短辺方向がＹ軸方向（鉛直方向）と一致している。また、側部１４１４ｃには、フレーム１４１６及びベゼル１４１３が固定可能とされる。
【０１２４】
フレーム１４１６は、図２５に示すように、導光板１４１９及び光学部材１４１５の外周縁部に沿って延在する横長の枠状部（額縁状部）１４１６ａを有しており、その枠状部１４１６ａにより導光板１４１９の外周縁部を、後述する波長変換シート１４２０を介してほぼ全周にわたって表側から押さえるものとされる。この枠状部１４１６ａのうち一方の長辺部における裏側の面、つまり導光板１４１９及びＬＥＤ基板１４１８（ＬＥＤ１４１７）との対向面には、図２７に示すように、光を反射させる第１反射シート（フレーム側反射シート）１４２４が取り付けられている。第１反射シート１４２４は、表面が光の反射性に優れた白色を呈するとともに、枠状部１４１６ａの一方の長辺部におけるほぼ全長にわたって延在する大きさを有しており、導光板１４１９におけるＬＥＤ１４１７側の端部に直接当接されて導光板１４１９の上記端部とＬＥＤ基板１４１８とを一括して表側から覆うものとされる。フレーム１４１６の枠状部１４１６ａは、光学部材１４１５を構成するマイクロレンズシート１４２１と波長変換シート１４２０との間に介在するとともに、マイクロレンズシート１４２１の外周縁部を裏側から支持するものとされ、それによりマイクロレンズシート１４２１が波長変換シート１４２０との間に枠状部１４１６ａ分の間隔を空けた位置に保たれる。さらには、フレーム１４１６は、枠状部１４１６ａから表側に向けて突出するとともに、液晶パネル１４１１における外周縁部を裏側から支持する液晶パネル支持部１４１６ｂを有している。
【０１２５】
次に、ＬＥＤ１４１７及びＬＥＤ１４１７が実装されるＬＥＤ基板１４１８について、これらの構成は実施形態１のＬＥＤ１７及びＬＥＤ基板１８と同様の構成であるため、詳細な説明は省略する。ただし、ＬＥＤ１４１７から発せられた青色の光は、その一部が後述する波長変換シート１４２０によって緑色の光や赤色の光に波長変換されるようになっており、これら波長変換された緑色の光及び赤色の光（二次光）と、ＬＥＤ１４１７の青色の光（一次光）と、の加法混色によりバックライト装置１４１２の出射光が概ね白色を呈するものとされる。
【０１２６】
導光板１４１９は、屈折率が空気よりも十分に高く且つほぼ透明な（透光性に優れた）合成樹脂材料（例えばＰＭＭＡなどのアクリル樹脂材料など）からなる。導光板１４１９は、図２５及び図２６に示すように、液晶パネル１４１１及びシャーシ１４１４と同様に平面に視て横長の方形状をなすとともに光学部材１４１５よりも厚みが大きな板状をなしており、その板面における長辺方向がＸ軸方向と、短辺方向がＹ軸方向とそれぞれ一致し、且つ板面と直交する板厚方向がＺ軸方向と一致している。導光板１４１９は、図２７及び図２８に示すように、シャーシ１４１４内において液晶パネル１４１１及び光学部材１４１５の直下位置に配されており、その外周端面のうちの一方（図２５及び図２６に示す手前側、図２７に示す左側）の長辺側の端面がシャーシ１４１４における長辺側の一端部に配されたＬＥＤ基板１４１８の各ＬＥＤ１４１７とそれぞれ対向状をなしている。従って、ＬＥＤ１４１７（ＬＥＤ基板１４１８）と導光板１４１９との並び方向がＹ軸方向と一致するのに対して、光学部材１４１５（液晶パネル１４１１）と導光板１４１９との並び方向がＺ軸方向と一致しており、両並び方向が互いに直交するものとされる。そして、導光板１４１９は、ＬＥＤ１４１７からＹ軸方向に向けて発せられた光を導入するとともに、その光を内部で伝播させつつ光学部材１４１５側（表側）へ向くよう立ち上げて出射させる機能を有する。
【０１２７】
導光板１４１９における一対の板面のうちの表側の板面が、図２７及び図２８に示すように、内部の光を光学部材１４１５及び液晶パネル１４１１に向けて出射させる出光板面（光出射面）１４１９ａとなっている。導光板１４１９における板面に対して隣り合う外周端面のうち、Ｘ軸方向（ＬＥＤ１４１７の並び方向、ＬＥＤ基板１４１８の長辺方向）に沿って長手状をなす長辺側の一対の端面のうち、一方（図２５及び図２６に示す手前側）の長辺側の端面は、ＬＥＤ１４１７（ＬＥＤ基板１４１８）と所定の空間を空けて対向状をなしており、これがＬＥＤ１４１７から発せられた光が直接的に入射される入光端面（光入射面）１４１９ｂとなっている。この入光端面１４１９ｂは、ＬＥＤ１４１７と対向状をなしていることから、「ＬＥＤ対向端面（光源対向端面）」であるとも言える。入光端面１４１９ｂは、Ｘ軸方向及びＺ軸方向に沿って並行する面とされ、出光板面１４１９ａに対して略直交する面とされる。これに対して、導光板１４１９の上記外周端面のうち、入光端面１４１９ｂを除いた部分（他方の長辺側の端面及び短辺側の一対の端面）が、ＬＥＤ１４１７から発せられた光が直接的に入射されることがない非入光端面１４１９ｄとされる。この非入光端面１４１９ｄは、ＬＥＤ１４１７と対向状をなしていないことから、「ＬＥＤ非対向端面（光源非対向端面）」であるとも言える。非入光端面１４１９ｄは、導光板１４１９の上記外周端面における長辺側の一対の端面のうちの他方の端面、つまり上記した入光端面１４１９ｂとは反対側の端面から構成される非入光反対端面１４１９ｄ１と、入光端面１４１９ｂ及び非入光反対端面１４１９ｄ１に対して隣り合う短辺側の一対の端面から構成される一対の非入光側端面１４１９ｄ２と、からなる。なお、本実施形態では、ＬＥＤ非対向端面のことを「非入光端面１４１９ｄ」として説明しているが、光が全く入射しないことまでを意味するものではなく、例えば非入光端面１４１９ｄから一旦外側に漏れ出した光がシャーシ１４１４の側部１４１４ｃによって反射されて戻された場合にはその戻される光が非入光端面１４１９ｄに入射することもあり得る。
【０１２８】
導光板１４１９における裏側、つまり出光板面１４１９ａとは反対側の反対板面１４１９ｃに対しては、第２反射シート（反射部材、導光板側反射シート）１４２５が裏側に重なる形で配されている。第２反射シート１４２５は、表面が光の反射性に優れた白色を呈していて、導光板１４１９内を伝播して反対板面１４１９ｃに達した光を反射することでその光を表側、つまり出光板面１４１９ａへ向かうよう立ち上げるものとされる。第２反射シート１４２５は、導光板１４１９の反対板面１４１９ｃをほぼ全域にわたって覆う形で配されている。第２反射シート１４２５は、平面に視てＬＥＤ基板１４１８（ＬＥＤ１４１７）と重畳する範囲にまで拡張されるとともに、表側の第１反射シート１４２４との間でＬＥＤ基板１４１８（ＬＥＤ１４１７）を挟み込む形で配されている。これにより、ＬＥＤ１４１７からの光を両反射シート１４２４，１４２５間で繰り返し反射することで、入光端面１４１９ｂに対して効率的に入射させることができる。この導光板１４１９の反対板面１４１９ｃには、導光板１４１９内の光を出光板面１４１９ａに向けて反射させることで出光板面１４１９ａから出射を促すための光反射部からなる光反射パターン（図示せず）が形成されている。この光反射パターンを構成する光反射部は、多数の光反射ドットからなるものとされており、その分布密度が入光端面１４１９ｂ（ＬＥＤ１４１７）からの距離に応じて変化するものとされる。具体的には、光反射部を構成する光反射ドットの分布密度は、Ｙ軸方向について入光端面１４１９ｂから遠ざかるほど（非入光反対端面１４１９ｄ１に近づくほど）高くなり、逆に入光端面１４１９ｂに近づくほど（非入光反対端面１４１９ｄ１から遠ざかるほど）低くなる傾向にあり、それにより出光板面１４１９ａからの出射光が面内において均一な分布となるよう制御されている。
【０１２９】
次に、波長変換シート１４２０に関して詳しく説明する。波長変換シート１４２０は、図２７及び図２８に示すように、導光板１４１９の出光板面１４１９ａに対して表側に直接重なる形で配されている。波長変換シート１４２０は、その外周縁部が、フレーム１４１６の枠状部１４１６ａによって全周にわたって表側から押さえられる。フレーム１４１６の枠状部１４１６ａのうち、第１反射シート１４２４が設置された一長辺部を除く３つの辺部における裏側（波長変換シート１４２０側）の面には、例えばポロン（登録商標）などからなる緩衝材１４２６が設けられている。これにより、フレーム１４１６から波長変換シート１４２０に作用する押圧力を緩和することができる。波長変換シート１４２０は、図２９に示すように、ＬＥＤ１４１７からの光を波長変換するための蛍光体（波長変換物質）を含有する蛍光体層（波長変換層、蛍光体フィルム）１４２０ａと、蛍光体層１４２０ａを表裏から挟み込んでこれを保護する一対の保護層（保護フィルム）１４２０ｂと、から構成されている。蛍光体層１４２０ａには、ＬＥＤ１４１７からの青色の単色光を励起光として、赤色の光（赤色に属する特定の波長領域の可視光線）を発する赤色蛍光体と、緑色（緑色に属する特定の波長領域の可視光線）の光を発する緑色蛍光体と、が分散配合されている。蛍光体層１４２０ａは、ほぼ透明な合成樹脂製でフィルム状をなす基材（蛍光体担体）１４２０ａ１に、赤色蛍光体及び緑色蛍光体を分散配合した蛍光体塗料１４２０ａ２を塗布してなるものとされる。保護層１４２０ｂは、ほぼ透明な合成樹脂製でフィルム状をなしており、防湿性などに優れるものとされる。
【０１３０】
より詳しくは、蛍光体層１４２０ａに含有される各色の蛍光体は、いずれも励起光が青色の光とされており、次のような発光スペクトルを有している。すなわち、緑色蛍光体は、青色の光を励起光として、緑色に属する波長領域（約５００ｎｍ〜約５７０ｎｍ）の光、つまり緑色の光を蛍光光として発するものとされる。緑色蛍光体は、好ましくは、ピーク波長が緑色の光の波長範囲の中の約５３０ｎｍとされ且つ半値幅が４０ｎｍ未満とされる発光スペクトルを有する。赤色蛍光体は、青色の光を励起光として、赤色に属する波長領域（約６００ｎｍ〜約７８０ｎｍ）の光、つまり赤色の光を蛍光光として発するものとされる。赤色蛍光体は、好ましくは、ピーク波長が赤色の光の波長範囲の中の約６１０ｎｍとされ且つ半値幅が４０ｎｍ未満とされる発光スペクトルを有する。
【０１３１】
このように、各色の蛍光体は、励起波長が蛍光波長よりも短波長とされるダウンコンバージョン型（ダウンシフティング型）とされている。このダウンコンバージョン型の蛍光体は、相対的に短波長で且つ高いエネルギーを持つ励起光を、相対的に長波長で且つ低いエネルギーを持つ蛍光光に変換するものとされる。従って、仮に励起波長が蛍光波長よりも長波長とされるアップコンバージョン型の蛍光体を用いた場合（量子効率が例えば２８％程度）に比べると、量子効率（光の変換効率）が３０％〜５０％程度と、より高いものとなっている。各色の蛍光体は、それぞれ量子ドット蛍光体（Quantum Dot Phosphor）とされる。量子ドット蛍光体は、ナノサイズ（例えば直径２ｎｍ〜１０ｎｍ程度）の半導体結晶中に電子・正孔や励起子を三次元空間全方位で閉じ込めることで、離散的エネルギー準位を有しており、そのドットのサイズを変えることで発光光のピーク波長（発光色）などを適宜に選択することが可能とされる。この量子ドット蛍光体の発光光（蛍光光）は、その発光スペクトルにおけるピークが急峻となってその半値幅が狭くなることから、色純度が極めて高くなるとともにその色域が広いものとなる。量子ドット蛍光体の材料としては、２価の陽イオンになるＺｎ、Ｃｄ、Ｈｇ、Ｐｂ等と２価の陰イオンになるＯ、Ｓ、Ｓｅ、Ｔｅ等とを組み合わせた材料（ＣｄＳｅ（セレン化カドミウム）、ＺｎＳ（硫化亜鉛）等）、３価の陽イオンとなるＧａ、Ｉｎ等と３価の陰イオンとなるＰ、Ａｓ、Ｓｂ等とを組み合わせた材料（ＩｎＰ（リン化インジウム）、ＧａＡｓ（ヒ化ガリウム）等）、さらにはカルコパイライト型化合物（ＣｕＩｎＳｅ2等）などがある。本実施形態では、量子ドット蛍光体の材料として、上記のうちのＣｄＳｅとＺｎＳとを併用している。また、本実施形態において用いる量子ドット蛍光体は、いわゆるコア・シェル型量子ドット蛍光体とされる。コア・シェル型量子ドット蛍光体は、量子ドットの周囲を、比較的バンドギャップの大きな半導体物質からなるシェルによって被覆した構成とされる。具体的には、コア・シェル型量子ドット蛍光体として、シグマ  アルドリッチ  ジャパン合同会社の製品である「Lumidot（登録商標）  ＣｄＳｅ／ＺｎＳ」を用いるのが好ましい。
【０１３２】
ところで、本実施形態のようなエッジライト型のバックライト装置１４１２では、図２７及び図２８に示すように、導光板１４１９内を伝播する光の全てが出光板面１４１９ａから出射するとは限らず、非入光端面１４１９ｄからも出射され得るものとされる。特に、ＬＥＤ１４１７から発せられて導光板１４１９の入光端面１４１９ｂに入射されて導光板１４１９内を伝播され、そのまま非入光端面１４１９ｄから出射する光は、青色を呈するものとされる。また、導光板１４１９内を伝播する光には、一旦出光板面１４１９ａから出射した後に光学部材１４１５などによって反射されて再び導光板１４１９内に戻される再帰反射光が含まれているが、この再帰反射光は、導光板１４１９の中央側よりも外周側の方が反射回数、つまり板面側波長変換部１４２７の通過回数が少なくなりがちとされるため、導光板１４１９の外周側（非入光端面１４１９ｄを含む）から出射する再帰反射光は、導光板１４１９の中央側から出射する再帰反射光に比べてＬＥＤ１４１７の光の色味、つまり青色に近い色味となっている。従来では、非入光端面１４１９ｄから出射した光は、波長変換シート１４２０によって波長変換され難いものとされていたため、その光が例えば緩衝材１４２６と導光板１４１９との間の隙間を通って外部に漏れ出すと、バックライト装置１４１２の出射光が外周側でのみ青色味を帯びたものとなるおそれがあった。このように、バックライト装置１４１２の出射光は、外周側と中央側とで色味に差が生じ易いものとなっていた。
【０１３３】
そこで、本実施形態に係るバックライト装置１４１２では、波長変換シート１４２０が、図２７及び図２８に示すように、導光板１４１９の出光板面１４１９ａに重なる形で配される板面側波長変換部１４２７と、板面側波長変換部１４２７に連なるとともに導光板１４１９の非入光端面１４１９ｄに重なる形で配される端面側波長変換部１４２８と、を備える構成とされている。このような構成によれば、導光板１４１９の非入光端面１４１９ｄから出射する光（再帰反射光を含む）を端面側波長変換部１４２８に含有される蛍光体によって波長変換することができる。つまり、ＬＥＤ１４１７から発せられて導光板１４１９の入光端面１４１９ｂに入射されて導光板１４１９内を伝播されてからそのまま非入光端面１４１９ｄから出射する青色の光や、反射回数が少ないために青色味を帯びた（青色の光に係る含有比率が高い）再帰反射光が、端面側波長変換部１４２８を透過する際にそこに含まれる緑色蛍光体及び赤色蛍光体によって緑色の光及び赤色の光へと波長変換される。これにより、非入光端面１４１９ｄから出射した光が例えば緩衝材１４２６と導光板１４１９との間の隙間を通って外部に漏れ出した場合でも、バックライト装置１４１２における中央側と外周側とで出射光の色味に差が生じ難くなり、もって色ムラの発生が抑制される。しかも、端面側波長変換部１４２８が板面側波長変換部１４２７に連なる構成とされているので、波長変換シート１４２０に係る製造コストが低廉化されるとともに含有される蛍光体が劣化し難いものとなる。
【０１３４】
波長変換シート１４２０を構成する板面側波長変換部１４２７は、図２５及び図３０に示すように、平面に視て導光板１４１９などと同様に横長の方形状をなすとともにその長辺寸法及び短辺寸法が導光板１４１９の各寸法と概ね同じ程度とされている。端面側波長変換部１４２８は、板面側波長変換部１４２７のうちＬＥＤ１４１７側の一長辺部を除いた３つの辺部（ＬＥＤ１４１７側とは反対側の長辺部及び一対の短辺部）に対してそれぞれ連なる形で３つが設けられている。なお、図２５及び図３０では、折り曲げ前の展開状態とされた波長変換シート１４２０を図示するとともに、板面側波長変換部に対する各端面側波長変換部の折り曲げ位置（折り曲げ線）を一点鎖線にて図示している。また、図３０では、ＬＥＤ１４１７及びＬＥＤ基板１４１８を二点鎖線にて図示している。
【０１３５】
端面側波長変換部１４２８は、図２７及び図２８に示すように、板面側波長変換部１４２７における各辺部に対してその延在方向に沿ってほぼ直角に折り曲げられることで、導光板１４１９の非入光端面１４１９ｄに対して重ねられている。端面側波長変換部１４２８は、導光板１４１９の非入光端面１４１９ｄのうち、非入光反対端面１４１９ｄ１に重なる形で配される反対端面側波長変換部１４２９と、一対の非入光側端面１４１９ｄ２にそれぞれ重なる形で配される一対の側端面側波長変換部１４３０と、から構成されている。反対端面側波長変換部１４２９は、図２７に示すように、板面側波長変換部１４２７のうちＬＥＤ１４１７側とは反対側の長辺部に連なるとともに、その長さ寸法が導光板１４１９の長辺寸法とほぼ等しくされるとともに幅寸法が導光板１４１９の厚み寸法とほぼ等しくされる。そして、反対端面側波長変換部１４２９は、非入光反対端面１４１９ｄ１における全長さ範囲及び全高さ範囲にわたって重ねられており、非入光反対端面１４１９ｄ１を全域にわたって外側から覆っている。各側端面側波長変換部１４３０は、図２８に示すように、板面側波長変換部１４２７のうち一対の短辺部に連なるとともに、その長さ寸法が導光板１４１９の短辺寸法とほぼ等しくされるとともに幅寸法が導光板１４１９の厚み寸法とほぼ等しくされる。そして、各側端面側波長変換部１４３０は、各非入光側端面１４１９ｄ２における全長さ範囲及び全高さ範囲にわたって重ねられており、各非入光側端面１４１９ｄ２を全域にわたって外側から覆っている。つまり、端面側波長変換部１４２８は、図２７及び図２８に示すように、導光板１４１９の非入光端面１４１９ｄにおける全域に対して重なる形で配されている、と言える。このような構成によれば、導光板１４１９の非入光端面１４１９ｄである非入光反対端面１４１９ｄ１から出射した光を、反対端面側波長変換部１４２９に含まれる蛍光体により波長変換することができるとともに、各非入光側端面１４１９ｄ２から出射した光を、各側端面側波長変換部１４３０に含まれる蛍光体により波長変換することができる。これにより、導光板１４１９内に存在する青色の光や青色味を帯びた再帰反射光が、バックライト装置１４１２の外周側においてそのまま出射することが避けられるので、色ムラの発生が効果的に抑制される。
【０１３６】
本実施形態は以上のような構造であり、続いてその作用を説明する。上記した構成の液晶表示装置１４１０の電源をＯＮすると、図示しないコントロール基板のパネル制御回路により液晶パネル１４１１の駆動が制御されるとともに、図示しないＬＥＤ駆動回路基板のＬＥＤ駆動回路からの駆動電力がＬＥＤ基板１４１８の各ＬＥＤ１４１７に供給されることでその駆動が制御される。各ＬＥＤ１４１７からの光は、導光板１４１９により導光されることで、光学部材１４１５を介して液晶パネル１４１１に照射され、もって液晶パネル１４１１に所定の画像が表示される。以下、バックライト装置１４１２に係る作用について詳しく説明する。
【０１３７】
各ＬＥＤ１４１７を点灯させると、各ＬＥＤ１４１７から出射した光は、図２７に示すように、導光板１４１９における入光端面１４１９ｂに入射する。ここで、ＬＥＤ１４１７と入光端面１４１９ｂとの間には、所定の空間が保有されているものの、その空間が表側の第１反射シート１４２４と裏側の第２反射シート１４２５の延出部分との間に挟み込まれているから、ＬＥＤ１４１７からの光は両反射シート１４２４，１４２５の対向部分により繰り返し反射されることで、効率的に入光端面１４１９ｂに入射される。入光端面１４１９ｂに入射した光は、導光板１４１９における外部の空気層との界面にて全反射されたり、第２反射シート１４２５により反射されるなどして導光板１４１９内を伝播されつつ、光反射パターンの光反射部にて散乱反射されることで、出光板面１４１９ａに対する入射角が臨界角を超えない光となって出光板面１４１９ａからの出射が促されるようになっている。導光板１４１９の出光板面１４１９ａを出射した光は、各光学部材１４１５を透過する過程でそれぞれ光学作用を付与された上で液晶パネル１４１１に対して照射されるのであるが、その一部については各光学部材１４１５にて再帰反射されることで導光板１４１９内に戻された後に再帰反射光として出光板面１４１９ａなどから出射してバックライト装置１４１２の出射光となる。
【０１３８】
続いて、光学部材１４１５の光学作用について詳しく説明する。導光板１４１９の出光板面１４１９ａを出射した青色の光は、図２７に示すように、出光板面１４１９ａのすぐ表側に重なる波長変換シート１４２０における板面側波長変換部１４２７に含有される緑色蛍光体及び赤色蛍光体により緑色の光及び赤色の光（二次光）へと波長変換される。この波長変換された緑色の光及び赤色の光、つまり黄色の光（二次光）と、ＬＥＤ１４１７の青色の光（一次光）と、によって概ね白色の照明光が得られることになる。これらＬＥＤ１４１７の青色の光（一次光）と、波長変換された緑色の光及び赤色の光（二次光）と、は、マイクロレンズシート１４２１にてＸ軸方向及びＹ軸方向について等方的に集光作用（等方性集光作用）が付与された後に、プリズムシート１４２２にてＹ軸方向について選択的に集光作用（異方性集光作用）が付与される。その後、プリズムシート１４２２を出射した光は、反射型偏光シート１４２３にて特定の偏光光（ｐ波）が選択的に透過されて液晶パネル１４１１に向けて出射するのに対し、それとは異なる特定の偏光光（ｓ波）が選択的に裏側へと反射される。反射型偏光シート１４２３にて反射されたｓ波やプリズムシート１４２２及びマイクロレンズシート１４２１にて集光作用を付与されずに裏側へと反射された光などは、導光板１４１９内に戻されて導光板１４１９内を伝播する過程で第２反射シート１４２５にて再び反射されるなどして再び出光板面１４１９ａなどから表側へと出射されることになる。
【０１３９】
ここで、ＬＥＤ１４１７から発せられて導光板１４１９内を伝播する青色の光（一次光）は、図２７及び図２８に示すように、その全てが出光板面１４１９ａから出射するとは限らず、一部については導光板１４１９の外周端面のうち非入光端面１４１９ｄからそのまま出射し得るものとされる。また、導光板１４１９内を伝播する光には、一旦出光板面１４１９ａから出射した後に再び導光板１４１９内に戻される再帰反射光が含まれているが、この再帰反射光は、導光板１４１９の中央側よりも外周側の方が反射回数、つまり板面側波長変換部１４２７の通過回数が少なくなりがちとされるため、導光板１４１９の外周側（非入光端面１４１９ｄを含む）から出射する再帰反射光は、導光板１４１９の中央側から出射する再帰反射光に比べてＬＥＤ１４１７の青色の光の色味に近い青色味を帯びたものとなっている。その点、本実施形態に係る波長変換シート１４２０は、導光板１４１９の非入光端面１４１９ｄに重なる形で配される端面側波長変換部１４２８を有しているから、導光板１４１９の非入光端面１４１９ｄから出射する光（再帰反射光を含む）を端面側波長変換部１４２８に含有される蛍光体によって波長変換することができる。つまり、ＬＥＤ１４１７から発せられて導光板１４１９の入光端面１４１９ｂに入射されてからそのまま非入光端面１４１９ｄから出射する青色の光（一次光）や、反射回数が少ないために青色味を帯びた（青色の光に係る含有比率が高い）再帰反射光が、端面側波長変換部１４２８を透過する際にそこに含まれる緑色蛍光体及び赤色蛍光体によって緑色の光及び赤色の光（二次光）へと波長変換される。これにより、非入光端面１４１９ｄから出射した光が例えば緩衝材１４２６と導光板１４１９との間の隙間を通って外部に漏れ出した場合でも、バックライト装置１４１２における中央側と外周側とで出射光の色味に差が生じ難くなり、もって色ムラの発生が抑制される。しかも、非入光端面１４１９ｄを構成する非入光反対端面１４１９ｄ１及び一対の非入光側端面１４１９ｄ２が、端面側波長変換部１４２８を構成する反対端面側波長変換部１４２９及び一対の側端面側波長変換部１４３０によりそれぞれ全域にわたって覆われているから、非入光端面１４１９ｄから出射する光を緑色蛍光体及び赤色蛍光体によって緑色の光及び赤色の光へとより高い効率でもって波長変換することができる。以上により、バックライト装置１４１２から出射する光が、外周側において中央側よりも青色味を帯びたものとなり難くなり、色ムラが生じ難いものとなる。これにより、液晶パネル１４１１の表示領域に表示される画像（テレビ画像）に係る表示品位が低下し難いものとなる。
【０１４０】
以上説明したように本実施形態のバックライト装置（照明装置）１４１２は、ＬＥＤ（光源）１４１７と、外周端面の少なくとも一部がＬＥＤ１４１７からの光が入射される入光端面１４１９ｂとされるとともに、外周端面のうち入光端面１４１９ｂを除いた部分がＬＥＤ１４１７からの光が直接入射されることのない非入光端面１４１９ｄとされ、さらには板面に光を出射させる出光板面１４１９ａを有する導光板１４１９と、ＬＥＤ１４１７からの光を波長変換する蛍光体を含有する波長変換シート（波長変換部材）１４２０であって、導光板１４１９の出光板面１４１９ａに重なる形で配される板面側波長変換部１４２７と、板面側波長変換部１４２７に連なるとともに導光板１４１９の非入光端面１４１９ｄの少なくとも一部に重なる形で配される端面側波長変換部１４２８と、を少なくとも有してなる波長変換シート１４２０と、を備える。
【０１４１】
このようにすれば、ＬＥＤ１４１７から発せられた光は、導光板１４１９の外周端面のうちの入光端面１４１９ｂに入射されて導光板１４１９内を伝播された後に出光板面１４１９ａから出射される。出光板面１４１９ａから出射された光は、出光板面１４１９ａに重ねられる波長変換シート１４２０の板面側波長変換部１４２７に含有される蛍光体によって波長変換される。ここで、導光板１４１９内を伝播する光は、その全てが出光板面１４１９ａから出射するとは限らず、一部については導光板１４１９の外周端面のうち非入光端面１４１９ｄから出射し得るものとされる。また、導光板１４１９内を伝播する光には、一旦出光板面１４１９ａから出射した後に再び導光板１４１９内に戻される再帰反射光が含まれているが、この再帰反射光は、導光板１４１９の中央側よりも外周側の方が反射回数が少なくなりがちとされるため、導光板１４１９の外周側（非入光端面１４１９ｄを含む）から出射する再帰反射光は、導光板１４１９の中央側から出射する再帰反射光に比べてＬＥＤ１４１７の光の色味に近い色味となっている。
【０１４２】
その点、波長変換シート１４２０は、導光板１４１９の非入光端面１４１９ｄの少なくとも一部に重なる形で配される端面側波長変換部１４２８を有しているから、導光板１４１９の非入光端面１４１９ｄから出射する光（再帰反射光を含む）を端面側波長変換部１４２８に含有される蛍光体によって波長変換することができる。これにより、当該バックライト装置１４１２における中央側と外周側とで出射光の色味に差が生じ難くなるので、色ムラの発生が抑制される。しかも、端面側波長変換部１４２８が板面側波長変換部１４２７に連なる構成とされているので、波長変換シート１４２０に係る製造コストが低廉化されるとともに含有される蛍光体が劣化し難いものとなる。
【０１４３】
また、導光板１４１９は、外周端面のうち入光端面１４１９ｂとは反対側の端面が、非入光端面１４１９ｄである非入光反対端面１４１９ｄ１とされており、波長変換シート１４２０は、端面側波長変換部１４２８が、少なくとも非入光反対端面１４１９ｄ１に重なる形で配されている。ＬＥＤ１４１７から発せられて導光板１４１９の入光端面１４１９ｂに入射した光は、入光端面１４１９ｂとは反対側の非入光反対端面１４１９ｄ１からそのまま出射し易いものの、その非入光反対端面１４１９ｄ１に重なる形で端面側波長変換部１４２８を配することで、非入光反対端面１４１９ｄ１から光が出射してもその光を端面側波長変換部１４２８により波長変換することで、色ムラの発生が効果的に抑制される。
【０１４４】
また、導光板１４１９は、外周端面のうち入光端面１４１９ｂと隣り合う端面が、非入光端面１４１９ｄである非入光側端面１４１９ｄ２とされており、波長変換シート１４２０は、端面側波長変換部１４２８が、少なくとも非入光側端面１４１９ｄ２に重なる形で配されている。ＬＥＤ１４１７から発せられて導光板１４１９の入光端面１４１９ｂに入射した光は、入光端面１４１９ｂと隣り合う非入光側端面１４１９ｄ２からそのまま出射し易いものの、その非入光側端面１４１９ｄ２に重なる形で端面側波長変換部１４２８を配することで、非入光側端面１４１９ｄ２から光が出射してもその光を端面側波長変換部１４２８により波長変換することで、色ムラの発生が効果的に抑制される。
【０１４５】
また、波長変換シート１４２０は、端面側波長変換部１４２８が導光板１４１９における非入光端面１４１９ｄの全域と重なる形で配されている。このようにすれば、非入光端面１４１９ｄから出射する光を、非入光端面１４１９ｄの全域と重なる形で配される端面側波長変換部１４２８により効率的に波長変換することができるので、色ムラの発生がより効果的に抑制される。
【０１４６】
また、導光板１４１９の出光板面１４１９ａとは反対側の反対板面１４１９ｃと対向する形で配されるとともに光を反射する第２反射シート（反射部材）１４２５を備える。このようにすれば、導光板１４１９内を伝播する過程で出光板面１４１９ａ側から反対板面１４１９ｃ側へ向かう光を第２反射シート１４２５によって出光板面１４１９ａ側へと反射し、光の伝播を高効率化することができる。
【０１４７】
また、ＬＥＤ１４１７は、青色の光を発するものとされており、波長変換シート１４２０は、蛍光体として、青色の光を緑色の光に波長変換する緑色蛍光体及び青色の光を赤色の光に波長変換する赤色蛍光体と、青色の光を黄色の光に波長変換する黄色蛍光体と、の少なくともいずれか一方を含有している。このようにすれば、ＬＥＤ１４１７から発せられた青色の光は、波長変換シート１４２０に緑色蛍光体及び赤色蛍光体が含有される場合は緑色の光及び赤色の光に、黄色蛍光体が含有される場合は黄色の光に、波長変換される。ここで、導光板１４１９の非入光端面１４１９ｄから出射する光は、ＬＥＤ１４１７の青色の光となっているため、その光が仮にそのまま当該バックライト装置１４１２の出射光に含まれると、その出射光が外周側では中央側よりも青色味を帯びるおそれがある。その点、導光板１４１９の非入光端面１４１９ｄから出射する光は、端面側波長変換部１４２８によって波長変換されるようになっているので、当該バックライト装置１４１２の外周側からの出射光における青色の光の比率を低下させることができ、もって色ムラを好適に抑制することができる。
【０１４８】
また、波長変換シート１４２０は、蛍光体として量子ドット蛍光体を含有している。このようにすれば、波長変換シート１４２０による光の波長変換効率がより高いものとなるとともに、波長変換された光の色純度が高いものとなる。
【０１４９】
本実施形態に係る液晶表示装置１４１０は、上記記載のバックライト装置１４１２と、バックライト装置１４１２から照射される光を利用して画像を表示する液晶パネル（表示パネル）１４１１と、を備える。このような構成の液晶表示装置１４１０によれば、バックライト装置１４１２の出射光が色ムラの発生が抑制されたものとなっているから、表示品位に優れた表示を実現することができる。
【０１５０】
本実施形態に係るテレビ受信装置１４１０ＴＶは、上記記載の液晶表示装置１４１０を備える。このようなテレビ受信装置１４１０ＴＶによれば、液晶表示装置１４１０の表示品位が優れたものとされているから、表示品位に優れたテレビ画像の表示を実現することができる。
【０１５１】
＜実施形態１６＞
本発明の実施形態１６を図３１によって説明する。この実施形態１６では、波長変換シート１５１２０の構成を変更したものを示す。なお、上記した実施形態１５と同様の構造、作用及び効果について重複する説明は省略する。
【０１５２】
本実施形態に係る波長変換シート１５１２０は、図３１に示すように、端面側波長変換部１５１２８が、非入光端面１５１１９ｄに重なる非入光端面重なり部１５３１と、導光板１５１１９の反対板面１５１１９ｃに重なる反対板面重なり部１５３２と、を有する構成とされる。つまり、波長変換シート１５１２０は、非入光端面１５１１９ｄ側の部分が折り返し状をなしており、板面側波長変換部１５１２７と端面側波長変換部１５１２８とで導光板１５１１９における非入光端面１５１１９ｄ側の端部を取り囲んでいる。端面側波長変換部１５１２８を構成する反対板面重なり部１５３２は、シャーシ１５１１４の底部１５１１４ａと導光板１５１１９との間に挟み込まれており、それにより、端面側波長変換部１５１２８の保持が図られている。従って、端面側波長変換部１５１２８を構成する非入光端面重なり部１５３１は、非入光端面１５１１９ｄに対して安定した位置関係に保たれるようになっている。もって、非入光端面１５１１９ｄから光が出射した場合でも、非入光端面１５１１９ｄに対して安定した位置関係にある非入光端面重なり部１５３１によってその光を高い効率でもって波長変換することができる。
【０１５３】
以上説明したように本実施形態によれば、導光板１５１１９を出光板面１５１１９ａ側とは反対側から支持する底部１５１１４ａを有するシャーシ１５１１４を備えており、波長変換シート１５１２０は、端面側波長変換部１５１２８が、非入光端面１５１１９ｄと重なる非入光端面重なり部１５３１と、導光板１５１１９のうち出光板面１５１１９ａとは反対側の反対板面１５１１９ｃにおける外縁部と重なる形で配されてシャーシ１５１１４の底部１５１１４ａとの間で挟み込まれる反対板面重なり部１５３２と、を有する構成とされる。このように、反対板面重なり部１５３２が導光板１５１１９の反対板面１５１１９ｃにおける外縁部と重なる形で配されてシャーシ１５１１４の底部１５１１４ａとの間で挟み込まれることで、端面側波長変換部１５１２８の保持が図られるから、非入光端面１５１１９ｄと重なる非入光端面重なり部１５３１が非入光端面１５１１９ｄに対して安定した位置関係に保たれる。これにより、非入光端面１５１１９ｄから光が出射した場合にその光を非入光端面重なり部１５３１によって高い効率でもって波長変換することができる。
【０１５４】
＜実施形態１７＞
本発明の実施形態１７を図３２または図３３によって説明する。この実施形態１７では、上記した実施形態１６から反対板面重なり部１６２３２の構成を変更したものを示す。なお、上記した実施形態１７と同様の構造、作用及び効果について重複する説明は省略する。
【０１５５】
本実施形態に係る波長変換シート１６２２０は、図３２に示すように、蛍光体の分布密度が非入光端面重なり部１６２３１と反対板面重なり部１６２３２とで異なるものとされており、反対板面重なり部１６２３２の方が非入光端面重なり部１６２３１よりも蛍光体の分布密度が低いものとされる。このような構成によれば、仮に蛍光体の分布密度を反対板面重なり部と非入光端面重なり部とで同じにした場合に比べると、導光板１６２１９内を伝播する光が導光板１６２１９の反対板面１６２１９ｃにおける外縁部に達したとき、その光が反対板面重なり部１６２３２によって過剰に波長変換され難いものとなる。これにより、バックライト装置１６２１２の外周側からの出射光が過剰に波長変換されて黄色味を帯びたものとなる、といった事態が生じ難くなる。詳しくは、波長変換シート１６２２０は、板面側波長変換部１６２２７及び非入光端面重なり部１６２３１が共に蛍光体が配置される蛍光体配置領域とされるのに対し、反対板面重なり部１６２３２は、蛍光体が配置されない蛍光体非配置領域とされて蛍光体の分布密度がほぼ０とされている。このような構成によれば、導光板１６２１９内を伝播して導光板１６２１９の非入光端面１６２１９ｄに達した光は、蛍光体配置領域である非入光端面重なり部１６２３１に配置される蛍光体により波長変換されるのに対し、導光板１６２１９の反対板面１６２１９ｃにおける外縁部に達した光は、蛍光体非配置領域である反対板面重なり部１６２３２にて波長変換されることが避けられる。これにより、バックライト装置１６２１２の外周側からの出射光が過剰に波長変換されて黄色味を帯びたものとなる事態がより好適に抑制される。また、蛍光体配置領域である板面側波長変換部１６２２７及び非入光端面重なり部１６２３１は、蛍光体の分布密度がほぼ同一とされる。なお、図３２では、蛍光体非配置領域である反対板面重なり部１６２３２の断面を示すハッチングを、蛍光体配置領域である板面側波長変換部１６２２７及び非入光端面重なり部１６２３１の断面を示すハッチングとは異ならせている。
【０１５６】
具体的には、非入光端面重なり部１６２３１は、図３３に示すように、基材１６２２０ａ１のほぼ全域にわたって蛍光体塗料１６２２０ａ２が塗布された構成となっている。これに対し、反対板面重なり部１６２３２は、基材１６２２０ａ１のほぼ全域に蛍光体塗料１６２２０ａ２が塗布されない構成となっている。その上で、反対板面重なり部１６２３２には、板面側波長変換部１６２２７及び非入光端面重なり部１６２３１に含有される蛍光体を封止するための封止部１６３３が設けられている。封止部１６３３は、反対板面重なり部１６２３２を構成する基材１６２２０ａ１及び一対の保護層１６２２０ｂの外縁を封止しつつこれらを一括して挟み込む形で配されている。このような構成によれば、封止部１６３３によって蛍光体が封止されるので、板面側波長変換部１６２２７及び反対板面重なり部１６２３２に含まれる蛍光体が吸湿などにより劣化し難いものとなる。
【０１５７】
以上説明したように本実施形態によれば、波長変換シート１６２２０は、反対板面重なり部１６２３２が、非入光端面重なり部１６２３１に比べると、蛍光体の分布密度が低いものとされる。このようにすれば、仮に蛍光体の分布密度を反対板面重なり部と非入光端面重なり部とで同じにした場合に比べると、導光板１６２１９内を伝播する光が導光板１６２１９の反対板面１６２１９ｃにおける外縁部に達したとき、その光が反対板面重なり部１６２３２によって過剰に波長変換され難いものとなる。これにより、当該バックライト装置１６２１２の外周側からの出射光が過剰に波長変換され難くなる。
【０１５８】
また、波長変換シート１６２２０は、非入光端面重なり部１６２３１が、蛍光体が配置される蛍光体配置領域とされるのに対し、反対板面重なり部１６２３２が、蛍光体が非配置とされる蛍光体非配置領域とされる。このようにすれば、導光板１６２１９内を伝播して導光板１６２１９の非入光端面１６２１９ｄに達した光は、蛍光体配置領域である非入光端面重なり部１６２３１に配置される蛍光体により波長変換されるのに対し、導光板１６２１９の反対板面１６２１９ｃにおける外縁部に達した光は、蛍光体非配置領域である反対板面重なり部１６２３２にて波長変換されることが避けられる。これにより、当該バックライト装置１６２１２の外周側からの出射光が過剰に波長変換されたものとなる事態がより好適に抑制される。
【０１５９】
また、波長変換シート１６２２０は、反対板面重なり部１６２３２に蛍光体を封止する封止部１６３３が設けられている。このようにすれば、封止部１６３３によって蛍光体が封止されるので、反対板面重なり部１６２３２に含まれる蛍光体が吸湿などにより劣化し難いものとなる。
【０１６０】
＜実施形態１８＞
本発明の実施形態１８を図３４によって説明する。この実施形態１８では、上記した実施形態１５から端面側波長変換部を導光板の非入光端面に対して接着するようにしたものを示す。なお、上記した実施形態１５と同様の構造、作用及び効果について重複する説明は省略する。
【０１６１】
本実施形態に係る導光板１７３１９の非入光端面１７３１９ｄには、図３４に示すように、端面側波長変換部１７３２８が接着層１７３４により接着されている。接着層１７３４は、例えばＯＣＡ（Optical Clear Adhesive）などの透明光学粘着フィルムからなるものとされており、導光板１７３１９の非入光端面１７３１９ｄと端面側波長変換部１７３２８との間に介在する形で配されている。このような構成によれば、接着層１７３４によって端面側波長変換部１７３２８が導光板１７３１９の非入光端面１７３１９ｄに対して安定した位置関係に保たれるので、導光板１７３１９の非入光端面１７３１９ｄから光が出射したとき、その光を端面側波長変換部１７３２８により高い効率でもって波長変換することができる。また、端面側波長変換部１７３２８と接着層１７３４との界面や非入光端面１７３１９ｄと接着層１７３４との界面にて多重反射が生じ易くなるので、端面側波長変換部１７３２８による光の波長変換効率がより高いものとなる。
【０１６２】
以上説明したように本実施形態によれば、端面側波長変換部１７３２８と導光板１７３１９の非入光端面１７３１９ｄとの間に介在する形で配される接着層１７３４を備えている。このようにすれば、接着層１７３４によって端面側波長変換部１７３２８が導光板１７３１９の非入光端面１７３１９ｄに対して安定した位置関係に保たれるので、導光板１７３１９の非入光端面１７３１９ｄから光が出射したとき、その光を端面側波長変換部１７３２８により高い効率でもって波長変換することができる。また、端面側波長変換部１７３２８と接着層１７３４との界面や非入光端面１７３１９ｄと接着層１７３４との界面にて多重反射が生じ易くなるので、端面側波長変換部１７３２８による光の波長変換効率がより高いものとなる。
【０１６３】
＜実施形態１９＞
本発明の実施形態１９を図３５によって説明する。この実施形態１９では、上記した実施形態１５から端面側波長変換部の配置を変更したものを示す。なお、上記した実施形態１５と同様の構造、作用及び効果について重複する説明は省略する。
【０１６４】
本実施形態に係る端面側波長変換部１８４２８は、図３５に示すように、板面側波長変換部１８４２７に対して鈍角をなす形で配されている。つまり、端面側波長変換部１８４２８は、板面側波長変換部１８４２７に対して９０度以上の折り曲げ角度でもって折り曲げられ、導光板１８４１９の非入光端面１８４１９ｄから離間する形で配されている。端面側波長変換部１８４２８は、板面側波長変換部１８４２７における外縁部（辺部）に連なる基端側から先端側へ向けて次第に導光板１８４１９の非入光端面１８４１９ｄからの距離が大きくなるよう、全体として傾斜状の断面形状となっている。このような構成であっても、導光板１８４１９の非入光端面１８４１９ｄから出射する光の多くが端面側波長変換部１８４２８を透過し、そこで波長変換されるようになっている。
【０１６５】
＜実施形態２０＞
本発明の実施形態２０を図３６によって説明する。この実施形態２０では、上記した実施形態１９から端面側波長変換部の形状を変更したものを示す。なお、上記した実施形態１９と同様の構造、作用及び効果について重複する説明は省略する。
【０１６６】
本実施形態に係る端面側波長変換部１９５２８は、図３６に示すように、断面形状が略円弧状（曲線状）をなしている。このような構成であっても、導光板１９５１９の非入光端面１９５１９ｄから出射する光の多くが端面側波長変換部１９５２８を透過し、そこで波長変換されるようになっている。
【０１６７】
＜実施形態２１＞
本発明の実施形態２１を図３７によって説明する。この実施形態２１では、上記した実施形態１５から端面側波長変換部の構成を変更したものを示す。なお、上記した実施形態１５と同様の構造、作用及び効果について重複する説明は省略する。
【０１６８】
本実施形態に係る端面側波長変換部２０６２８は、図３７に示すように、板面側波長変換部２０６２７における一対の短辺部にそれぞれ連なる一対の側端面側波長変換部２０６３０からなるものとされる。従って、板面側波長変換部２０６２７におけるＬＥＤ２０６１７側とは反対側の長辺部には、端面側波長変換部２０６２８（反対端面側波長変換部）が設けられない構成となっている。このような構成であっても、導光板における一対の非入光側端面から光が出射した場合には、その光を一対の側端面側波長変換部２０６３０により波長変換することができる。なお、図３７では、ＬＥＤ２０６１７及びＬＥＤ基板２０６１８を二点鎖線にて図示している。
【０１６９】
＜実施形態２２＞
本発明の実施形態２２を図３８によって説明する。この実施形態２２では、上記した実施形態１５から端面側波長変換部の構成を変更したものを示す。なお、上記した実施形態１５と同様の構造、作用及び効果について重複する説明は省略する。
【０１７０】
本実施形態に係る端面側波長変換部２１７２８は、図３８に示すように、板面側波長変換部２１７２７におけるＬＥＤ２１７１７側とは反対側の長辺部に連なる反対端面側波長変換部２１７２９からなるものとされる。従って、板面側波長変換部２１７２７における一対の短辺部には、端面側波長変換部２１７２８（側端面側波長変換部）が設けられない構成となっている。このような構成であっても、導光板における非入光反対端面から光が出射した場合には、その光を反対端面側波長変換部２１７２９により波長変換することができる。なお、図３８では、ＬＥＤ２１７１７及びＬＥＤ基板２１７１８を二点鎖線にて図示している。
【０１７１】
＜他の実施形態＞
本発明は上記記述及び図面によって説明した実施形態に限定されるものではなく、例えば次のような実施形態も本発明の技術的範囲に含まれる。
（１）上記した実施形態１〜１４では、傾斜状板面及び傾斜状反射部が導光板の外周側部分を構成する各辺部における全長にわたって延在する形でそれぞれ設けられる場合を例示したが、傾斜状板面及び傾斜状反射部が導光板の外周側部分を構成する各辺部における全長に満たない範囲にそれぞれ設けられる構成を採ることも可能である。つまり、傾斜状板面及び傾斜状反射部が導光板の外周側部分を構成する各辺部に対して長さ方向について部分的に配される構成であっても構わない。その場合、導光板の外周側部分のうち、四隅の角部に対して傾斜状板面及び傾斜状反射部が選択的に設けられる構成を採るのが特に好ましい。
【０１７２】
（２）上記した実施形態１〜１４にて図示したもの以外にも、出光板面に対する傾斜状板面及び傾斜状反射部の傾斜角度における具体的な数値は、適宜に変更可能である。また、導光板の外周側部分のうち傾斜状板面が設けられた部分における厚さ寸法の最小値（外周端面付近での厚さ寸法）における具体的な数値は、適宜に変更可能である。また、傾斜状板面における幅寸法（並行板面との境界位置から導光板の外周端面までの平面に視た距離）における具体的な数値は、適宜に変更可能である。これら以外にもバックライト装置及び液晶表示装置を構成する各部位における具体的な数値は、適宜に変更可能である。
【０１７３】
（３）上記した実施形態１〜１４において、出光板面に対する傾斜状板面及び傾斜状反射部の傾斜角度、形成範囲、配置などに応じて光反射パターンの光反射部に係る設計を適宜に変更して最適化を図ることが可能である。
【０１７４】
（４）上記した実施形態１〜１４（実施形態４を除く）では、導光板の傾斜状板面と反射シートの傾斜状反射部との間に接着層を介在させた場合を例示したが、例えば導光板の傾斜状板面に対して傾斜状反射部を熱溶着または超音波溶着などさせることで、接着層を用いることなく傾斜状反射部を導光板の傾斜状板面に対して保持するようにしても構わない。
【０１７５】
（５）上記した実施形態２では、並行板面側傾斜状板面の幅寸法と、外周端面側傾斜状板面の幅寸法と、がほぼ等しくなる構成を例示したが、並行板面側傾斜状板面の幅寸法と、外周端面側傾斜状板面の幅寸法と、のいずれか一方が他方よりも大きくなる構成を採ることも可能である。同様に、実施形態７に記載した構成において、並行板面側傾斜状板面の幅寸法と、外周端面側傾斜状板面の幅寸法と、中間傾斜状板面の幅寸法と、の大小関係についても適宜に変更可能である。
【０１７６】
（６）上記した実施形態２，７では、出光板面に対する傾斜状板面及び傾斜状反射部の傾斜角度が２段階または３段階で変化する構成を例示したが、出光板面に対する傾斜状板面及び傾斜状反射部の傾斜角度が４段階以上でもって変化する構成を採ることも可能である。
【０１７７】
（７）上記した実施形態４では、支持部材によって傾斜状反射部を支持するようにしたものを示したが、上記した実施形態１に記載した接着層を設けるようにした上で、支持部材によって傾斜状反射部を支持するようにしても構わない。
【０１７８】
（８）上記した実施形態４では、傾斜状反射部が全域にわたって支持部材によって支持される構成を例示したが、傾斜状反射部が部分的に支持部材によって支持される構成を採ることも可能である。
【０１７９】
（９）上記した実施形態５，６に記載した傾斜状板面及び傾斜状反射部における具体的な曲率半径の数値などは、適宜に変更可能である。
【０１８０】
（１０）上記した実施形態１では、導光板における他方の長辺側の端面を非入光端面とした片側入光タイプのバックライト装置を例示したが、導光板における一方の長辺側の端面を非入光端面とした片側入光タイプのバックライト装置にも本発明は適用可能である。
【０１８１】
（１１）上記した実施形態１０では、導光板における他方の短辺側の端面を非入光端面とした片側入光タイプのバックライト装置を例示したが、導光板における一方の短辺側の端面を非入光端面とした片側入光タイプのバックライト装置にも本発明は適用可能である。
【０１８２】
（１２）上記した実施形態１３では、導光板における他方の短辺側の端面を非入光端面とした３辺入光タイプのバックライト装置を例示したが、導光板における一方の短辺側の端面や一対の長辺側の端面のいずれか一方を非入光端面とした３辺入光タイプのバックライト装置にも本発明は適用可能である。
【０１８３】
（１３）上記した実施形態２に記載した構成を、実施形態３〜６，８〜１４に記載した構成に組み合わせることも可能である。
【０１８４】
（１４）上記した実施形態３に記載した構成を、実施形態４〜１３に記載した構成に組み合わせることも可能である。
【０１８５】
（１５）上記した実施形態４に記載した構成を、実施形態５〜１４に記載した構成に組み合わせることも可能である。
【０１８６】
（１６）上記した実施形態５，６に記載した構成を、実施形態７〜１４に記載した構成に組み合わせることも可能である。
【０１８７】
（１７）上記した実施形態７に記載した構成を、実施形態８〜１４に記載した構成に組み合わせることも可能である。
【０１８８】
（１８）上記した実施形態９に記載した構成を、実施形態１０に記載した構成に組み合わせることも可能である。
【０１８９】
（１９）上記した実施形態１５〜２２では、反対端面側波長変換部が非入光反対端面の全域に重なるとともに、側端面側波長変換部が非入光側端面の全域に重なる構成を示したが、反対端面側波長変換部が非入光反対端面の一部に重なって残りの部分には重ならない構成としたり、側端面側波長変換部が非入光側端面の一部に重なって残りの部分には重ならない構成としたりすることも可能である。その場合、非入光反対端面のうち高さ方向についての一部と長さ方向についての一部との両方またはいずれか一方が反対端面側波長変換部と重なる関係としたり、非入光側端面のうち高さ方向についての一部と長さ方向についての一部との両方またはいずれか一方が側端面側波長変換部と重なる関係としたりすることができる。
【０１９０】
（２０）上記した実施形態１６，１７に記載した構成において、非入光反対端面に重なる反対端面側波長変換部と、非入光側端面に重なる側端面側波長変換部と、の両方に反対板面重なり部を設けることができるが、いずれか一方のみに反対板面重なり部を設けるようにすることもできる。
【０１９１】
（２１）上記した実施形態１７では、端面側波長変換部の反対板面重なり部に蛍光体塗料が塗布されない構成を示したが、端面側波長変換部の反対板面重なり部に蛍光体塗料を塗布するようにし、その蛍光体塗料における蛍光体の分布密度を、板面側波長変換部及び非入光端面重なり部に塗布される蛍光体塗料における蛍光体の分布密度よりも低くするような構成を採ることも可能である。このように蛍光体の分布密度を異ならせるには、例えば板面側波長変換部及び非入光端面重なり部と反対板面重なり部とで同じ蛍光体塗料を用いるものの、蛍光体塗料の塗布回数を異ならせるなどして蛍光体塗料の膜厚に差を付けるようにしたり、或いは板面側波長変換部及び非入光端面重なり部と反対板面重なり部とで蛍光体の含有濃度が異なる蛍光体塗料を用いたりすればよい。
【０１９２】
（２２）上記した実施形態１７では、端面側波長変換部の反対板面重なり部に封止部を設けるようにした場合を示したが、封止部を省略することも可能である。
【０１９３】
（２３）上記した実施形態１８に記載した構成において、非入光反対端面に重なる反対端面側波長変換部と導光板の非入光反対端面との間と、非入光側端面に重なる側端面側波長変換部と導光板の非入光側端面との間と、の両方に接着層を設けることができるが、いずれか一方のみに接着層を設けるようにすることもできる。
【０１９４】
（２４）上記した実施形態１８では、導光板の非入光端面と端面側波長変換部との間に接着層を介在させた場合を例示したが、例えば導光板の非入光端面に対して端面側波長変換部を熱溶着または超音波溶着などさせることで、接着層を用いることなく端面側波長変換部を導光板の非入光端面に対して貼り付けるようにしても構わない。
【０１９５】
（２５）上記した実施形態１８では、導光板の非入光端面と端面側波長変換部との間に介在する接着層としてＯＣＡなどの透明光学粘着フィルムを用いた場合を例示したが、例えば、ほぼ透明な接着剤、ほぼ透明な光硬化性樹脂（紫外線硬化性樹脂などを含む）、ほぼ透明な両面テープなどを接着層として用いることも可能である。
【０１９６】
（２６）上記した実施形態１９，２０に記載した構成において、非入光反対端面に重なる反対端面側波長変換部と、非入光側端面に重なる側端面側波長変換部と、の両方を傾斜状または略円弧状の断面形状とすることができるが、いずれか一方のみを傾斜状または略円弧状の断面形状とすることもできる。
【０１９７】
（２７）上記した実施形態２１，２２では、端面側波長変換部が、反対端面側波長変換部と、一対の側端面側波長変換部と、のいずれか一方のみから構成される場合を示したが、反対端面側波長変換部と、一方の側端面側波長変換部と、により端面側波長変換部を構成したり、一方の側端面側波長変換部のみにより端面側波長変換部を構成したりすることも可能である。
【０１９８】
（２８）上記した実施形態１６，１７に記載した構成を、実施形態１８〜２２に記載した構成に組み合わせることも可能である。
【０１９９】
（２９）上記した実施形態１８に記載した構成を、実施形態１９〜２２に記載した構成に組み合わせることも可能である。
【０２００】
（３０）上記した実施形態１９，２０に記載した構成を、実施形態２１，２２に記載した構成に組み合わせることも可能である。
【０２０１】
（３１）上記した各実施形態では、４枚の光学部材を備える構成を例示したが、光学部材の枚数は３枚以下または５枚以上に変更することも可能である。また、波長変換シートを除いて使用する光学部材の種類についても適宜に変更可能であり、例えば拡散シートなどを用いることも可能である。また、波長変換シートを含む各光学部材の具体的な積層順についても適宜に変更可能である。
【０２０２】
（３２）上記した各実施形態では、波長変換シートが他の光学部材と共にフレームに対して表側に載せられる構成を例示したが、波長変換シートが導光板に対して表側に直接載せる構成を採ることも可能である。また、導光板と波長変換シートとの間に他の光学部材（マイクロレンズシート、プリズムシート、反射型偏光シートなど）を１枚または複数枚重ねて配置することも可能である。
【０２０３】
（３３）上記した各実施形態では、光源として青色の単色光を発するＬＥＤを用いた場合を示したが、光源として青色以外の色の光を発するＬＥＤを用いることも可能であり、その場合は波長変換シートに含有させる蛍光体が呈する色もＬＥＤの光の色に応じて変更すればよい。例えば、マゼンタ色の光を発するＬＥＤを用いる場合には、波長変換シートに含有させる蛍光体としてマゼンダ色の補色となる緑色を呈する緑色蛍光体を用いるようにすれば、バックライト装置の照明光（出射光）を白色化することができる。
【０２０４】
（３４）上記した（３３）以外にも、紫色の光を発するＬＥＤを用いる場合には、波長変換シートに含有させる蛍光体として紫色の補色となる黄緑色を呈するよう緑色蛍光体及び黄色蛍光体を用いるようにすれば、バックライト装置の照明光（出射光）を白色化することができる。
【０２０５】
（３５）上記した（３３），（３４）以外にも、シアン色の光を発するＬＥＤを用いる場合には、波長変換シートに含有させる蛍光体としてシアン色の補色となる赤色を呈する赤色蛍光体を用いるようにすれば、バックライト装置の照明光（出射光）を白色化することができる。
【０２０６】
（３６）上記した各実施形態では、波長変換シートが緑色蛍光体及び赤色蛍光体を含む構成とされる場合を示したが、波長変換シートに黄色蛍光体のみを含ませた構成としたり、黄色蛍光体に加えて赤色蛍光体や緑色蛍光体を含ませた構成としたりすることも可能である。
【０２０７】
（３７）上記した各実施形態では、波長変換シートに含まれる蛍光体として用いた量子ドット蛍光体をＣｄＳｅ及びＺｎＳからなるコア・シェル型とした場合を例示したが、内部組成を単一組成としたコア型量子ドット蛍光体を用いることも可能である。例えば、２価の陽イオンになるＺｎ、Ｃｄ、Ｈｇ、Ｐｂ等と２価の陰イオンになるＯ、Ｓ、Ｓｅ、Ｔｅ等とを組み合わせた材料（ＣｄＳｅ、ＣｄＳ、ＺｎＳ）を単独で用いることが可能である。さらには、３価の陽イオンとなるＧａ、Ｉｎ等と３価の陰イオンとなるＰ、Ａｓ、Ｓｂ等とを組み合わせた材料（ＩｎＰ（リン化インジウム）、ＧａＡｓ（ヒ化ガリウム）等）やカルコパイライト型化合物（ＣｕＩｎＳｅ2等）などを単独で用いることも可能である。また、コア・シェル型やコア型の量子ドット蛍光体以外にも、合金型の量子ドット蛍光体を用いることも可能である。また、カドミウムを含有しない量子ドット蛍光体を用いることも可能である。
【０２０８】
（３８）上記した各実施形態では、波長変換シートに含まれる蛍光体として用いた量子ドット蛍光体をＣｄＳｅ及びＺｎＳのコア・シェル型とした場合を例示したが、他の材料同士を組み合わせてなるコア・シェル型の量子ドット蛍光体を用いることも可能である。
【０２０９】
（３９）上記した各実施形態では、波長変換シートに量子ドット蛍光体を含有させた構成のものを例示したが、他の種類の蛍光体を波長変換シートに含有させるようにしても構わない。例えば、波長変換シートに含有させる蛍光体として硫化物蛍光体を用いることができ、具体的には緑色蛍光体としてＳｒＧａ2Ｓ4：Ｅｕ2+を、赤色蛍光体として（Ｃａ，Ｓｒ，Ｂａ）Ｓ：Ｅｕ2+を、それぞれ用いることが可能である。
【０２１０】
（４０）上記した（３９）以外にも、波長変換シートに含有させる緑色蛍光体を(Ｃａ，Ｓｒ，Ｂａ) 3ＳｉＯ4：Ｅｕ2+、β−ＳｉＡｌＯＮ：Ｅｕ2+、Ｃａ3Ｓｃ2Ｓｉ3Ｏ12：Ｃｅ3+などとすることができる。また、波長変換シートに含有させる赤色蛍光体を、(Ｃａ，Ｓｒ，Ｂａ) 2ＳｉＯ5Ｎ8：Ｅｕ2+、ＣａＡｌＳｉＮ3：Ｅｕ2+などとすることができる。さらには、波長変換シートに含有させる黄色蛍光体を、(Ｙ，Ｇｄ) 3 (Ａｌ，Ｇａ) 5Ｏ12：Ｃｅ3+（通称 ＹＡＧ：Ｃｅ3+）、α−ＳｉＡｌＯＮ：Ｅｕ2+、(Ｃａ，Ｓｒ，Ｂａ) 3ＳｉＯ4：Ｅｕ2+などとすることができる。それ以外にも、波長変換シートに含有させる蛍光体として、複フッ化物蛍光体（マンガン付活のケイフッ化カリウム（Ｋ2ＴｉＦ6）など）を用いることも可能である。
【０２１１】
（４１）上記した（３９），（４０）以外にも、波長変換シートに含有させる蛍光体として有機蛍光体を用いることができる。有機蛍光体としては、例えばトリアゾールまたはオキサジアゾールを基本骨格とした低分子の有機蛍光体を用いることができる。
【０２１２】
（４２）上記した（３９），（４０），（４１）以外にも、波長変換シートに含有させる蛍光体としてドレスト光子（近接場光）を介したエネルギー移動によって波長変換を行う蛍光体を用いることも可能である。この種の蛍光体としては、具体的には、直径３ｎｍ〜５ｎｍ（好ましくは４ｎｍ程度）の酸化亜鉛量子ドット（ＺｎＯ−ＱＤ）にＤＣＭ色素を分散・混合させた構成の蛍光体を用いるのが好ましい。
【０２１３】
（４３）上記した各実施形態以外にも、ＬＥＤの発光スペクトル（ピーク波長の数値、ピークの半値幅の数値など）及び各蛍光体層に含まれる蛍光体の発光スペクトル（ピーク波長の数値、ピークの半値幅の数値など）に関しては、適宜に変更することが可能である。
【０２１４】
（４４）上記した各実施形態では、ＬＥＤを構成するＬＥＤ素子の材料としてＩｎＧａＮを用いた場合を示したが、他のＬＥＤ素子の材料として、例えばＧａＮ、ＡｌＧａＮ、ＧａＰ、ＺｎＳｅ、ＺｎＯ、ＡｌＧａＩｎＰなどを用いることも可能である。
【０２１５】
（４５）上記した各実施形態では、シャーシが金属製とされた場合を例示したが、シャーシを合成樹脂製とすることも可能である。
【０２１６】
（４６）上記した各実施形態では、光学部材がフレームの枠状部に対して表側に載せられて導光板との間に間隔が空けられた構成を例示したが、光学部材が導光板に対して表側に直接載せられる構成を採ることも可能である。その場合、フレームの枠状部が最も表側に配される光学部材を表側から押さえる構成を採るのが好ましいものとされるが、必ずしもその限りではない。
【０２１７】
（４７）上記した各実施形態では、光源としてＬＥＤを用いたものを示したが、有機ＥＬなどの他の光源を用いることも可能である。
【０２１８】
（４８）上記した各実施形態では、液晶パネル及びシャーシがその短辺方向を鉛直方向と一致させた縦置き状態とされるものを例示したが、液晶パネル及びシャーシがその長辺方向を鉛直方向と一致させた縦置き状態とされるものも本発明に含まれる。
【０２１９】
（４９）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０２２０】
（５０）上記した各実施形態では、透過型の液晶表示装置を例示したが、それ以外にも反射型の液晶表示装置や半透過型の液晶表示装置にも本発明は適用可能である。
【０２２１】
（５１）上記した各実施形態では、表示パネルとして液晶パネルを用いた液晶表示装置を例示したが、他の種類の表示パネルを用いた表示装置にも本発明は適用可能である。
【０２２２】
（５２）上記した各実施形態では、チューナーを備えたテレビ受信装置を例示したが、チューナーを備えない表示装置にも本発明は適用可能である。具体的には、電子看板（デジタルサイネージ）や電子黒板として使用される液晶表示装置にも本発明は適用することができる。
【０２２３】
（５３）上記した実施形態１５〜２２では、ＬＥＤ及びＬＥＤ基板を導光板における長辺側の一端面に対して対向状に配したものを示したが、ＬＥＤ及びＬＥＤ基板を導光板における短辺側の一端面に対して対向状に配するようにしてもよい。
【０２２４】
（５４）上記した実施形態１５〜２２では、ＬＥＤ及びＬＥＤ基板を導光板における一端面に対して対向状に配したものを示したが、ＬＥＤ及びＬＥＤ基板を導光板における一対の長辺側の端面または一対の短辺側の端面に対して対向状に配するようにしてもよい。また、ＬＥＤ及びＬＥＤ基板を導光板における任意の３つの端面に対して対向状に配することも可能である。
【符号の説明】
【０２２５】
１０...液晶表示装置（表示装置）、１１...液晶パネル（表示パネル）、１２，２１２，９１２，１０１２，１１１２，１２１２，１３１２...バックライト装置（照明装置）、１７，２１７，９１７，１０１７，１１１７，１２１７，１３１７，１４１７...ＬＥＤ（光源）、１９，１１９，２１９，３１９，４１９，５１９，６１９，７１９，８１９，９１９，１０１９，１１１９，１２１９，１３１９，１４１９...導光板、１９ａ，１１９ａ，４１９ａ，６１９ａ，１４１９ａ...出光板面、１９ｂ，２１９ｂ，９１９ｂ，１０１９ｂ，１１１９ｂ，１２１９ｂ，１３１９ｂ，１４１９ｂ...入光端面、１９ｃ，１１９ｃ，２１９ｃ，３１９ｃ，６１９ｃ，７１９ｃ，８１９ｃ，９１９ｃ，１０１９ｃ，１１１９ｃ，１２１９ｃ，１３１９ｃ，１４１９ｃ...反対板面、１９ｄ，２１９ｄ，９１９ｄ，１０１９ｄ，１１１９ｄ，１２１９ｄ，１４１９ｄ...非入光端面、１９ｄ１，２１９ｄ１，７１９ｄ１，８１９ｄ１，９１９ｄ１，１２１９ｄ１，１４１９ｄ１...非入光反対端面、１９ｄ２，２１９ｄ２，７１９ｄ２，８１９ｄ２，９１９ｄ２，１０１９ｄ２，１１１９ｄ２，１２１９ｄ２，１４１９ｄ２...非入光側端面、２０，２２０，１４２０...波長変換シート（波長変換部材）、２５，１２５，２２５，３２５，４２５，５２５，６２５，１４２５...反射シート（反射部材）、２７，１２７，２２７，６２７...並行板面、２８，１２８，２２８，３２８，４２８，５２８，６２８，７２８，８２８，９２８，１０２８，１１２８，１２２８，１３２８...傾斜状板面、２９，１２９，２２９，６２９...並行反射部、３０，１３０，２３０，３３０，４３０，５３０，６３０...傾斜状反射部、３１...接着層、３２，６３２...並行板面側傾斜状板面、３３，６３３...外周端面側傾斜状板面、３６...支持部材、１４１４ａ，１５１１４ａ...底部、１４２７...板面側波長変換部、１４２８...端面側波長変換部、１４３１...非入光端面重なり部（蛍光体配置領域）、１４３２...反対板面重なり部（蛍光体非配置領域）、１４３３...封止部、１４３４...接着層
【図１】
2016148005.tif 000003
【図２】
2016148005.tif 000004
【図３】
2016148005.tif 000005
【図４】
2016148005.tif 000006
【図５】
2016148005.tif 000007
【図６】
2016148005.tif 000008
【図７】
2016148005.tif 000009
【図８】
2016148005.tif 000010
【図９】
2016148005.tif 000011
【図１０】
2016148005.tif 000012
【図１１】
2016148005.tif 000013
【図１２】
2016148005.tif 000014
【図１３】
2016148005.tif 000015
【図１４】
2016148005.tif 000016
【図１５】
2016148005.tif 000017
【図１６】
2016148005.tif 000018
【図１７】
2016148005.tif 000019
【図１８】
2016148005.tif 000020
【図１９】
2016148005.tif 000021
【図２０】
2016148005.tif 000022
【図２１】
2016148005.tif 000023
【図２２】
2016148005.tif 000024
【図２３】
2016148005.tif 000025
【図２４】
2016148005.tif 000026
【図２５】
2016148005.tif 000027
【図２６】
2016148005.tif 000028
【図２７】
2016148005.tif 000029
【図２８】
2016148005.tif 000030
【図２９】
2016148005.tif 000031
【図３０】
2016148005.tif 000032
【図３１】
2016148005.tif 000033
【図３２】
2016148005.tif 000034
【図３３】
2016148005.tif 000035
【図３４】
2016148005.tif 000036
【図３５】
2016148005.tif 000037
【図３６】
2016148005.tif 000038
【図３７】
2016148005.tif 000039
【図３８】
2016148005.tif 000040
【国際調査報告】
2016148005.tif 000041
2016148005.tif 000042
2016148005.tif 000043
2016148005.tif 000044